(57)【要約】  本発明では、無線通信システムにおいて、端末が基地局から下りリンク信号を受信する方法が開示される。具体的には、この方法は、上記基地局から下りリンク制御チャネルを受信するステップと、上記下りリンク制御チャネルに有された制御情報を用いて、下りリンクデータチャネルと上記下りリンクデータチャネルの復調のためのスロット前端割り当て参照信号とを受信するステップと、を有し、上記スロット前端割り当て参照信号が受信されるシンボルのリソースエレメントは、２つの多重化グループ又は３つの多重化グループに区分され、上記下りリンク制御チャネルは、上記多重化グループのうち上記スロット前端割り当て参照信号が割り当てられた多重化グループに関する情報と上記多重化グループのうちデータが割り当てられない多重化グループの数に関する情報とを有することを特徴とする。【選択図】  図９
2019536337.tif 000002
【特許請求の範囲】
【請求項１】
無線通信システムにおいて、端末が基地局から下りリンク信号を受信する方法であって、
前記基地局から、下りリンク制御チャネルを受信するステップと、
前記基地局から、前記下りリンク制御チャネルに有された制御情報を用いて、下りリンクデータチャネルと前記下りリンクデータチャネルの復調のためのスロット前端割り当て参照信号とを受信するステップと、を有し、
前記スロット前端割り当て参照信号が受信されるシンボルのリソースエレメントは、２つの多重化グループ又は３つの多重化グループに区分され、
前記下りリンク制御チャネルは、
前記多重化グループのうち前記スロット前端割り当て参照信号が割り当てられた多重化グループに関する情報と前記多重化グループのうちデータが割り当てられない多重化グループの数に関する情報とを有する、下りリンク信号の受信方法。
【請求項２】
前記多重化グループが３つであり、前記データが割り当てられない多重化グループの数が１つである場合、前記データが割り当てられない多重化グループは、低いインデックスの多重化グループである、請求項１に記載の下りリンク信号の受信方法。
【請求項３】
前記下りリンクデータチャネルと前記スロット前端割り当て参照信号とを受信するステップは、
前記スロット前端割り当て参照信号が特定の倍数だけパワーブースティングされたという仮定下において、前記下りリンクデータチャネルを受信するステップを有し、
前記特定の倍数は、
前記多重化グループの数と前記データが割り当てられない多重化グループの数との差分である、請求項１に記載の下りリンク信号の受信方法。
【請求項４】
前記下りリンク制御チャネルは、
さらに、前記スロット前端割り当て参照信号のためのシンボルの数に関する情報を有する、請求項１に記載の下りリンク信号の受信方法。
【請求項５】
前記スロット前端割り当て参照信号のためのシンボルの数が２つ以上である場合、
前記スロット前端割り当て参照信号が割り当てられた多重化グループに関する情報と前記多重化グループのうちデータが割り当てられない多重化グループの数に関する情報とは、前記２つ以上のシンボルに共通して適用される、
請求項１に記載の下りリンク信号の受信方法。
【請求項６】
無線通信システムにおける端末であって、
無線通信モジュールと、
前記無線通信モジュールと接続して、基地局から下りリンク信号を受信するプロセッサと、を有し、
前記プロセッサは、
前記基地局から受信した下りリンク制御チャネルに有された制御情報を用いて、下りリンクデータチャネルと前記下りリンクデータチャネルの復調のためのスロット前端割り当て参照信号とを受信し、
前記スロット前端割り当て参照信号が受信されるシンボルのリソースエレメントは、２つの多重化グループ又は３つの多重化グループに区分され、
前記下りリンク制御チャネルは、
前記多重化グループのうち前記スロット前端割り当て参照信号が割り当てられた多重化グループに関する情報と前記多重化グループのうちデータが割り当てられない多重化グループの数に関する情報とを有する、端末。
【請求項７】
前記多重化グループが３つであり、前記データが割り当てられない多重化グループの数が１つである場合、前記データが割り当てられない多重化グループは、低いインデックスの多重化グループである、請求項６に記載の端末。
【請求項８】
前記プロセッサは、
前記スロット前端割り当て参照信号が特定の倍数だけパワーブースティングされたという仮定下において、前記下りリンクデータチャネルを受信し、
前記特定の倍数は、
前記多重化グループの数と前記データが割り当てられない多重化グループの数との差分である、請求項６に記載の端末。
【請求項９】
前記下りリンク制御チャネルは、
さらに、前記スロット前端割り当て参照信号のためのシンボルの数に関する情報を有する、請求項６に記載の端末。
【請求項１０】
前記スロット前端割り当て参照信号のためのシンボルの数が２つ以上である場合、
前記スロット前端割り当て参照信号が割り当てられた多重化グループに関する情報と前記多重化グループのうちデータが割り当てられない多重化グループの数に関する情報とは、前記２つ以上のシンボルに共通して適用される、請求項６に記載の端末。
【発明の詳細な説明】
【技術分野】
【０００１】
本発明は、無線通信システムに関し、より詳細には、次世代通信システムにおけるＤＭ−ＲＳ（DeModulation Reference Signal）の送受信方法及びそのための装置に関する。
【背景技術】
【０００２】
本発明が適用できる無線通信システムの一例として、３ＧＰＰ  ＬＴＥ（3rd Generation Partnership Project Long Term Evolution；以下、「ＬＴＥ」という）通信システムについて概略的に説明する。
【０００３】
図１は、無線通信システムの一例としてＥ−ＵＭＴＳネットワーク（網）（network）の構造を概略的に示した図である。Ｅ−ＵＭＴＳ（Evolved Universal Mobile Telecommunications System）は、既存のＵＭＴＳ（Universal Mobile Telecommunications System）から発展（進化）した（evolved）システムであって、現在、３ＧＰＰで基礎的な標準化作業を進めている。一般に、Ｅ−ＵＭＴＳは、ＬＴＥ（Long Term Evolution）システムと称することもできる。ＵＭＴＳ及びＥ−ＵＭＴＳの技術規格（technical specification）の詳細な内容は、それぞれ「3rd Generation Partnership Project；Technical Specification Group Radio Access Network」のＲｅｌｅａｓｅ７及びＲｅｌｅａｓｅ８を参照することができる。
【０００４】
図１を参照すると、Ｅ−ＵＭＴＳは、端末（User Equipment；ＵＥ）、基地局（ｅＮｏｄｅ  Ｂ；ｅＮＢ）、及びネットワーク（E-UTRAN）の終端に位置し、外部ネットワークと接続されるアクセス（接続）ゲートウェイ（Access Gateway；ＡＧ）を含む。基地局は、ブロードキャストサービス、マルチキャストサービス及び／又はユニキャストサービスのために多重データストリーム（multiple data streams）を同時に送信することができる。
【０００５】
一つの基地局には、一つ又は複数のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうちの一つに設定され、いくつかの（多くの）（several）端末に下り又は上り送信サービスを提供する。互いに異なるセルは、互いに異なる帯域幅を提供するように設定することができる。基地局は、複数の端末に対するデータ送受信を制御する。下りリンク（DownLink；ＤＬ）データに対して、基地局は、下りリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データに対して、基地局は、上りリンクスケジューリング情報を該当端末に送信し、該当端末が使用可能な時間／周波数領域、符号化、データサイズ、ＨＡＲＱ関連情報などを知らせる。各基地局間では、ユーザトラフィック又は制御トラフィックの送信のためのインターフェースを使用することができる。コアネットワーク（核心網）（Core Network；ＣＮ）は、ＡＧ及び端末のユーザ登録などのためのネットワークノードなどで構成することができる。ＡＧは、複数のセルで構成されるＴＡ（Tracking Area）単位で端末のモビリティ（移動性）（mobility）を管理する。
【０００６】
無線通信技術は、ＷＣＤＭＡ（登録商標）に基づいてＬＴＥまで開発されてきたが、ユーザ及び事業者の要求及び期待は持続的に増加している。また、他の無線アクセス（接続）技術（radio access technologies）が続いて開発されているので、今後、競争力を有するためには新たな技術発展が要求され、ビット当たりのコスト（費用）（cost）の減少、サービス使用可能性（可用性）（service availability）の増大、融通性のある周波数バンドの使用、単純構造及びオープン（開放型）（open）インターフェース、端末の適切な電力消費（パワー消耗）（power consumption）などが要求される。
【発明の概要】
【発明が解決しようとする課題】
【０００７】
上述のような論議に基づいて、以下、次世代通信システムにおけるＤＭ−ＲＳの送受信方法及びそのための装置を提案する。
【課題を解決するための手段】
【０００８】
本発明の一態様によれば、無線通信システムにおいて、端末が基地局から下りリンク信号を受信する方法は、基地局から下りリンク制御チャネルを受信するステップと、下りリンク制御チャネルに有された制御情報を用いて、下りリンクデータチャネルと下りリンクデータチャネルの復調のためのスロット前端割り当て参照信号（front loaded reference signal）とを受信するステップと、を有し、スロット前端割り当て参照信号が受信されるシンボルのリソースエレメント（要素）（resource elements）は、２つの多重化グループ又は３つの多重化グループに区分され、下りリンク制御チャネルは、多重化グループのうちスロット前端割り当て参照信号が割り当てられた多重化グループに関する情報と多重化グループのうちデータが割り当てられない多重化グループの数に関する情報とを有することを特徴とする。
【０００９】
一方、本発明の一態様によれば、無線通信システムにおける端末は、無線通信モジュールと、無線通信モジュールと接続して、基地局から下りリンク信号を受信するプロセッサと、を有し、プロセッサは、基地局から受信した下りリンク制御チャネルに有された制御情報を用いて、下りリンクデータチャネル及び下りリンクデータチャネルの復調のためのスロット前端割り当て参照信号を受信して、スロット前端割り当て参照信号が受信されるシンボルのリソースエレメントは、２つの多重化グループ又は３つの多重化グループに区分され、下りリンク制御チャネルは、多重化グループのうちスロット前端割り当て参照信号が割り当てられた多重化グループに関する情報及び多重化グループのうちデータが割り当てられない多重化グループの数に関する情報を有することを特徴とする。
【００１０】
好ましくは、多重化グループが３つであり、データが割り当てられない多重化グループの数が１つである場合、データが割り当てられない多重化グループは、低いインデックスの多重化グループであることを特徴とする。
【００１１】
さらに、端末は、スロット前端割り当て参照信号が特定の倍数だけパワーブースティングされたという仮定下において、下りリンクデータチャネルを受信して、特定の倍数は、多重化グループの数とデータが割り当てられていない多重化グループの数との差分であることを特徴とする。
【００１２】
また、下りリンク制御チャネルは、さらに、スロット前端割り当て参照信号のためのシンボルの数に関する情報を有することができる。特に、スロット前端割り当て参照信号のためのシンボルの数が２つ以上である場合、スロット前端割り当て参照信号が割り当てられた多重化グループに関する情報と多重化グループのうちデータが割り当てられない多重化グループの数に関する情報とは、２つ以上のシンボルに共通して適用されることを特徴とする。
【発明の効果】
【００１３】
本発明の実施例によれば、次世代通信システムにおけるＤＭ−ＲＳをより効率的に送受信することができる。
【００１４】
本発明で得られる効果は、以上で言及した効果に制限されず、言及しなかった他の効果は、以下の記載から本発明が属する当該技術分野における当業者に明確に理解されるであろう。
【図面の簡単な説明】
【００１５】
【図１】無線通信システムの一例としてＥ−ＵＭＴＳネットワーク構造を概略的に示す図である。
【図２】３ＧＰＰ無線アクセスネットワーク（接続網）（radio access network）の規格に基づく端末とＥ−ＵＴＲＡＮとの間の無線インターフェースプロトコル（Radio Interface Protocol）の制御プレーン（Control Plane）及びユーザプレーン（User Plane）を示す図である。
【図３】３ＧＰＰシステムに用いられる物理チャネル及びこれらを用いた一般的な信号送信方法を説明する図である。
【図４】ＬＴＥシステムで使用される無線フレームの構造を例示する図である。
【図５】ＬＴＥシステムで使用される下りリンク無線フレームの構造を例示する図である。
【図６】ＬＴＥシステムで使用される上りリンクサブフレームの構造を例示する図である。
【図７】ＴＸＲＵとアンテナ要素との接続方式の一例を示す図である。
【図８】自己完結型（Self-contained）サブフレームの構造の一例を示す図である。
【図９】本発明の実施例による下りリンク信号の受信方法を例示するフローチャートである。
【図１０】本発明の一実施例による通信装置のブロック構成図を例示する図である。
【発明を実施するための形態】
【００１６】
以下、添付図面を参照して説明した本発明の各実施例により、本発明の構成、作用及び他の特徴が容易に理解されるであろう。以下で説明する各実施例は、本発明の技術的特徴が３ＧＰＰシステムに適用された例である。
【００１７】
この明細書では、ＬＴＥシステム及びＬＴＥ−Ａシステムを用いて本発明の各実施例を説明するが、これは例示に過ぎない。したがって、本発明の各実施例は、上記の定義に該当するいずれの通信システムにも適用することができる。
【００１８】
また、この明細書では、基地局の名称が、ＲＲＨ（Remote Radio Head）、ｅＮＢ、ＴＰ（Transmission Point）、ＲＰ（Reception Point）、中継器（relay）などを含む包括的な用語で使用されている。
【００１９】
図２は、３ＧＰＰ無線アクセスネットワークの規格に基づく端末とＥ−ＵＴＲＡＮとの間の無線インターフェースプロトコル（Radio Interface Protocol）の制御プレーン（Control Plane）及びユーザプレーン（User Plane）の構造を示す図である。制御プレーンは、端末（User Equipment；ＵＥ）とネットワークとが呼を管理するために用いる制御メッセージが送信される通信路（通路）（path）を意味する。ユーザプレーンは、アプリケーション層で生成されたデータ、例えば、音声データ又はインターネットパケットデータなどが送信される通信路を意味する。
【００２０】
第１の層である物理層は、物理チャネル（Physical Channel）を用いて上位層に情報送信サービス（Information Transfer Service）を提供する。物理層は、上位にあるメディアアクセス（媒体接続）制御（Medium Access Control）層とはトランスポート（送信）チャネル（Transport Channel）を介して接続（連結）される（connected）。このトランスポートチャネルを介してメディアアクセス制御層と物理層との間でデータが移動する。送信側と受信側との物理層間では、物理チャネルを介してデータが移動する。物理チャネルは、時間及び周波数を無線リソースとして活用する。具体的には、物理チャネルは、下りリンクにおいて、ＯＦＤＭＡ（Orthogonal Frequency Division Multiple Access）方式で変調され、上りリンクにおいては、ＳＣ−ＦＤＭＡ（Single Carrier Frequency Division Multiple Access）方式で変調される。
【００２１】
第２の層であるメディアアクセス（媒体接続）制御（Medium Access Control；ＭＡＣ）層は、論理チャネル（Logical Channel）を介して上位層である無線リンク制御（Radio Link Control；ＲＬＣ）層にサービスを提供する。第２の層のＲＬＣ層は、信頼性のあるデータ送信をサポート（支援）する（supports）。ＲＬＣ層の機能は、ＭＡＣ内部の機能ブロックにより具現されることもできる。第２の層のＰＤＣＰ（Packet Data Convergence Protocol）層は、帯域幅が狭い無線インターフェースにおいてＩＰｖ４或いはＩＰｖ６などのＩＰパケットを効率的に送信するために不要な制御情報を減らすヘッダ圧縮（Header Compression）の機能を果たす。
【００２２】
第３の層の最下部に位置する無線リソース制御（Radio Resource Control；ＲＲＣ）層は、制御プレーンでのみ定義される。ＲＲＣ層は、無線ベアラ（Radio Bearer；ＲＢ）の設定（Configuration）、再設定（Re-configuration）及び解放（解除）（Release）に関連して論理チャネル、トランスポートチャネル及び物理チャネルの制御を担当する。ＲＢは、端末とネットワークとの間のデータ伝達のために第２の層により提供されるサービスを意味する。このために、端末とネットワークとのＲＲＣ層は、互いにＲＲＣメッセージを交換する。端末とネットワークとのＲＲＣ層の間にＲＲＣ接続（連結）（RRC Connected）がある場合、端末はＲＲＣ接続状態（Connected Mode）であり、そうでない場合はＲＲＣアイドル（休止）状態（Idle Mode）である。ＲＲＣ層の上位にあるＮＡＳ（Non-Access Stratum）層は、セッション管理（Session Management）及びモビリティ管理（Mobility Management）などの機能を果たす。
【００２３】
ネットワークから端末にデータを送信する下りトランスポート（送信）チャネル（transmission channels）としては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャスト又はブロードキャスト（放送）（broadcast）サービスのトラフィック又は制御メッセージの場合、下りＳＣＨを介して送信され、又は特の下りＭＣＨ（Multicast CHannel）を介して送信されることができる。なお、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位にありかつトランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００２４】
図３は、３ＧＰＰシステムに用いられる物理チャネル及びこれらを用いた一般的な信号送信方法を説明する図である。
【００２５】
端末は、電源がオンになったり新たにセルに進入した場合、基地局と同期を取るなどの初期セルサーチ（探索）（Initial cell search）作業を行う（Ｓ３０１）。このために、端末は、基地局からプライマリ（主）同期チャネル（Primary Synchronization CHannel；Ｐ−ＳＣＨ）及びセカンダリ（副）同期チャネル（Secondary Synchronization CHannel；Ｓ−ＳＣＨ）を受信することによって基地局と同期を取り、セルＩＤなどの情報を得ることができる。その後、端末は、基地局から物理ブロードキャストチャネル（Physical Broadcast Channel）を受信してセル内のブロードキャスト情報を得ることができる。なお、端末は、初期セルサーチ段階において下りリンク参照信号（DownLink Reference Signal；ＤＬ  ＲＳ）を受信して下りリンクチャネル状態を確認することができる。
【００２６】
初期セルサーチを終了した端末は、物理下りリンク制御チャネル（Physical Downlink Control CHannel；ＰＤＣＣＨ）及び該ＰＤＣＣＨに載せられた情報によって物理下りリンク共有チャネル（Physical Downlink Control CHannel；ＰＤＳＣＨ）を受信することによって、より具体的なシステム情報を得ることができる（Ｓ３０２）。
【００２７】
一方、基地局に最初に接続したか或いは信号送信のための無線リソースがない場合は、端末は、基地局に対してランダムアクセス（任意接続）過程（Random Access Procedure；ＲＡＣＨ）を行うことができる（段階Ｓ３０３〜段階Ｓ３０６）。このために、端末は、物理ランダムアクセスチャネル（Physical Random Access CHannel；ＰＲＡＣＨ）を介して特定シーケンスをプリアンブルとして送信し（Ｓ３０３及びＳ３０５）、ＰＤＣＣＨ及び対応するＰＤＳＣＨを介してプリアンブルに対する応答メッセージを受信することができる（Ｓ３０４及びＳ３０６）。コンテンション（競合）ベースの（）ＲＡＣＨの場合、さらに衝突解決手順（Contention Resolution Procedure）を行うことができる。
【００２８】
上述した手順を行った端末は、その後、一般的な上り／下りリンク信号送信の手順として、ＰＤＣＣＨ／ＰＤＳＣＨの受信（Ｓ３０７）及び物理上りリンク共有チャネル（Physical Uplink Shared CHannel；ＰＵＳＣＨ）／物理上りリンク制御チャネル（Physical Uplink Control CHannel；ＰＵＣＣＨ）の送信（Ｓ３０８）を行う。特に、端末は、ＰＤＣＣＨを介して下りリンク制御情報（Downlink Control Information；ＤＣＩ）を受信する。ここで、ＤＣＩは、端末に対するリソース割り当て情報などの制御情報を含み、その使用目的に応じてフォーマットが互いに異なる。
【００２９】
一方、端末が上りリンクを通じて基地局に送信したり又は端末が基地局から受信したりする制御情報は、下り／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムの場合、端末は、上述したＣＱＩ／ＰＭＩ／ＲＩなどの制御情報を、ＰＵＳＣＨ及び／又はＰＵＣＣＨを介して送信することができる。
【００３０】
図４は、ＬＴＥシステムで使用される無線フレームの構造を例示する図である。
【００３１】
図４を参照すると、無線フレーム（radio frame）は、１０ｍｓ（３２７２００×Ｔｓ）の長さを有し、１０個の均等なサイズのサブフレーム（subframe）で構成されている。各々のサブフレームは、１ｍｓの長さを有し、２つのスロット（slot）で構成されている。各々のスロットは、０．５ｍｓ（１５３６０×Ｔｓ）の長さを有する。ここで、ＴSは、サンプリング時間を示し、ＴS＝１／（１５ｋＨｚ×２０４８）＝３.２５５２×１０-8（約３３ｎｓ）のように表される。スロットは、時間領域において複数のＯＦＤＭシンボルを含み、周波数領域において複数のリソースブロック（Resource Block；ＲＢ）を含む。ＬＴＥシステムにおいて、１つのリソースブロックは、１２個の副搬送波×７（６）つのＯＦＤＭシンボルを含む。データが送信される単位時間であるＴＴＩ（Transmission Time Interval）は、１つ又は複数のサブフレームの単位で決められることができる。上述した無線フレームの構造は例示に過ぎず、無線フレームに含まれるサブフレームの数、サブフレームに含まれるスロットの数及びスロットに含まれるＯＦＤＭシンボルの数は、多様に変更可能である。
【００３２】
図５は、下りリンク無線フレームにおいて１つのサブフレームの制御領域に含まれる制御チャネルを例示する図である。
【００３３】
図５を参照すると、サブフレームは、１４個のＯＦＤＭシンボルで構成されている。サブフレームの設定によって最初の１〜３個のＯＦＤＭシンボルは、制御領域として使用され、残りの１３〜１１個のＯＦＤＭシンボルは、データ領域として使用される。図面において、Ｒ０〜Ｒ３は、アンテナ０〜３に対する参照信号（Reference Signal（ＲＳ）又はPilot Signal）を示す。ＲＳは、制御領域及びデータ領域とは関係なく、サブフレーム内に一定のパターンで固定される。制御チャネルは、制御領域のうちでＲＳが割り当てられないリソースに割り当てられ、トラフィックチャネルもデータ領域のうちでＲＳが割り当てられないリソースに割り当てられる。制御領域に割り当てられる制御チャネルとしては、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００３４】
ＰＣＦＩＣＨは、物理制御フォーマット指示子チャネルであって、サブフレームごとにＰＤＣＣＨに使用されるＯＦＤＭシンボルの数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４つのＲＥＧ（Resource Element Group）で構成され、それぞれのＲＥＧは、セルＩＤ（Cell IDentity）に基づいて制御領域内に分散される。１つのＲＥＧは、４つのＲＥ（Resource Element）で構成される。ＲＥは、１つの副搬送波×１つのＯＦＤＭシンボルで定義される最小物理リソースを示す。ＰＣＦＩＣＨ値は、帯域幅によって１〜３又は２〜４の値を指示し、ＱＰＳＫ（Quadrature Phase Shift Keying）で変調される。
【００３５】
ＰＨＩＣＨは、物理ＨＡＲＱ（Hybrid-Automatic Repeat and reQuest）指示子チャネルであって、上りリンク送信に対するＨＡＲＱ  ＡＣＫ／ＮＡＣＫを運ぶために使用される。即ち、ＰＨＩＣＨは、ＵＬ  ＨＡＲＱのためのＤＬ  ＡＣＫ／ＮＡＣＫ情報が送信されるチャネルを示す。ＰＨＩＣＨは、１つのＲＥＧで構成され、セル固有（特定）（cell-specific）にスクランブル（scrambling）される。ＡＣＫ／ＮＡＣＫは、１ビットで指示され、ＢＰＳＫ（Binary Phase Shift Keying）で変調される。変調されたＡＣＫ／ＮＡＣＫは、拡散率（拡散因子）（Spreading Factor；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの数は拡散コードの数によって決定される。ＰＨＩＣＨ（グループ）は、周波数領域及び／又は時間領域でダイバーシチの利得を得るために３回繰り返（repetition）される。
【００３６】
ＰＤＣＣＨは、物理下りリンク制御チャネルであって、サブフレームの最初のｎ個のＯＦＤＭシンボルに割り当てられる。ここで、ｎは、１以上の整数であって、ＰＣＦＩＣＨによって指示される。ＰＤＣＣＨは、１つ又は複数のＣＣＥで構成される。ＰＤＣＣＨは、トランスポートチャネルであるＰＣＨ（Paging CHannel）及びＤＬ−ＳＣＨ（DownLink-Shared CHannel）のリソース割り当てに関連する情報、上りリンクスケジューリンググラント（Uplink Scheduling Grant）、ＨＡＲＱ情報などを各端末又は端末グループに知らせる。ＰＣＨ（Paging CHannel）及びＤＬ−ＳＣＨ（DownLink-Shared CHannel）は、ＰＤＳＣＨを介して送信される。よって、基地局及び端末は、一般的に、特定の制御情報又は特定のサービスデータを除いては、ＰＤＳＣＨを介してデータをそれぞれ送信及び受信する。
【００３７】
ＰＤＳＣＨのデータは、どの端末（１つ又は複数の端末）に送信されるものであり、各々の端末がどのようにＰＤＳＣＨデータを受信してデコードするかに関する情報などが、ＰＤＣＣＨに含まれて送信される。例えば、特定のＰＤＣＣＨが「Ａ」というＲＮＴＩ（Radio Network Temporary Identity）でＣＲＣマスク（masking）されており、「Ｂ」という無線リソース（例えば、周波数位置）及び「Ｃ」というＤＣＩフォーマット、即ち送信形式（transport format）情報（例えば、送信ブロックサイズ（transport block size）、変調方式、コーディング情報など）を用いて送信されるデータに関する情報が、特定のサブフレームを介して送信されると仮定する。この場合、セル内の端末は、自体が有しているＲＮＴＩ情報を用いて検索領域でＰＤＣＣＨをモニタリングして、即ち、ブラインドデコードして、「Ａ」というＲＮＴＩを有する１つ又は複数の端末があれば、上記端末は、ＰＤＣＣＨを受信し、受信したＰＤＣＣＨの情報を通じて「Ｂ」と「Ｃ」により指示されるＰＤＳＣＨを受信する。
【００３８】
図６は、ＬＴＥシステムで使用される上りリンクサブフレームの構造を示す図である。
【００３９】
図６を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域と、に分けられる。サブフレームの中間部分がＰＵＳＣＨに割り当てられ、周波数領域においてデータ領域の両側部分がＰＵＣＣＨに割り当てられる。ＰＵＣＣＨ上で送信される制御情報としては、ＨＡＲＱに使用されるＡＣＫ／ＮＡＣＫ、下りリンクチャンネル状態を示すＣＱＩ（Channel Quality Indicator）、ＭＩＭＯのためのＲＩ（Rank Indicator）、上りリンクリソース割り当て要求（要請）（request）であるＳＲ（Scheduling Request）などがある。１つの端末に対するＰＵＣＣＨは、サブフレーム内の各々のスロットで互いに異なる周波数を占める１つのリソースブロックを使用する。即ち、ＰＵＣＣＨに割り当てられる２つのリソースブロックは、スロット境界で周波数ホッピング（frequency hopping）される。特に、図６は、ｍ＝０であるＰＵＣＣＨ、ｍ＝１であるＰＵＣＣＨ、ｍ＝２であるＰＵＣＣＨ、ｍ＝３であるＰＵＣＣＨが、サブフレームに割り当てられることを例示している。
【００４０】
以下、チャネル状態情報（Channel State Information，ＣＳＩ）の報告について説明する。現在、ＬＴＥ標準では、チャネル状態情報無しで運用される開ループ（open-loop）ＭＩＭＯと、チャネル状態情報に基づいて運用される（operating）閉ループ（closed-loop）ＭＩＭＯと、という２つの送信方式が存在する。特に、閉ループＭＩＭＯでは、ＭＩＭＯアンテナの多重化利得（多重化ｇａｉｎ）を得るために、基地局及び端末は、チャネル状態情報に基づいてビームフォーミングを行うことができる。基地局は、チャネル状態情報を端末から得るために、端末にＰＵＣＣＨ（Physical Uplink Control CHannel）又はＰＵＳＣＨ（Physical Uplink Shared CHannel）を割り当てて、下りリンク信号に対するチャネル状態情報（ＣＳＩ）をフィードバックするように命令する。
【００４１】
ＣＳＩは、ＲＩ（Rank Indicator）、ＰＭＩ（Precoding Matrix Index）、ＣＱＩ（Channel Quality Indication）の３つの情報に大別される。先ず、ＲＩは、上述のように、チャネルのランク情報を示し、端末が同一の周波数−時間リソースによって受信できるストリーム数を意味する。また、ＲＩは、チャネルの長期フェージング（long term fading）によって決定されるため、通常、ＰＭＩ、ＣＱＩ値よりも長い周期で基地局にフィードバックされる。
【００４２】
次に、ＰＭＩは、チャネルの空間特性を反映した値であって、ＳＩＮＲ（Signal-to-Interference and Noise Ratio）などのメトリック（メートル）（metric）を基準として、端末が選好するプリコーディング行列インデックスを示す。最後に、ＣＱＩは、チャネルの強度を示す値であって、通常、基地局がＰＭＩを用いるときに得られる受信ＳＩＮＲのことを意味する。
【００４３】
３ＧＰＰ  ＬＴＥ−Ａシステムにおいて、基地局は、複数のＣＳＩプロセスをＵＥに設定して、各プロセスに対するＣＳＩが報告される。ここで、ＣＳＩプロセスは、基地局からの信号品質の特定のためのＣＳＩ−ＲＳリソースと、干渉測定のためのＣＳＩ−ＩＭ（Interference Measurement）リソース、即ち、ＩＭＲ（Interference Measurement Resource）と、で構成される。
【００４４】
Ｍｉｌｌｉｍｅｔｅｒ  Ｗａｖｅ（ｍｍＷ）では波長が短くなるため、同一の面積（area）に多数のアンテナ要素の設置が可能である。具体的には、３０ＧＨｚ帯域において、波長は１ｃｍであって、４  ×（ｂｙ）  ４ｃｍのパネル（panel）に０．５ｌａｍｂｄａ（波長）間隔で２次元（２Ｄ）（Dimension）配列である全６４（８×８）のアンテナ要素を設けることができる。これにより、ｍｍＷ分野における最近の動向では、多数（複数）のアンテナ要素を使用してＢＦ（Beam Forming）利得を上げてカバレッジを増加させたり、或いはスループット（throughput）を増加させたりすることを試みている。
【００４５】
このとき、アンテナ要素別に送信パワー及び位相の調節ができるように、ＴＸＲＵ（Transceiver Unit）を備えると、周波数リソース別に独立したビームフォーミングが可能である。しかしながら、１００余個の全てのアンテナ要素にＴＸＲＵを設けることは、コスト面で実効性に乏しい問題がある。したがって、１つのＴＸＲＵに複数のアンテナ要素をマッピングし、アナログ位相シフタ（analog phase shifter）でビーム方向を調節する方式が考えられている。かかるアナログビームフォーミング方式では全帯域において１つのビーム方向しか形成できないので、周波数選択的なビームフォーミングができないというデメリットがある。
【００４６】
デジタルＢＦとアナログＢＦとの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素との接続（連結）（connection）方式によって差はあるが、同時に送信可能なビームの方向は、Ｂ個以下に制限される。
【００４７】
図７は、ＴＸＲＵとアンテナ要素との接続方式の一例を示す図である。
【００４８】
図７（Ａ）は、ＴＸＲＵが部分配列（サブアレイ）（sub-array）に接続された方式を示している。この場合、アンテナ要素は、１つのＴＸＲＵにのみ接続される。これとは異なり、図７（Ｂ）は、  ＴＸＲＵが全てのアンテナ要素に接続された方式を示している。この場合、アンテナ要素は、全てのＴＸＲＵに接続される。図７において、Ｗは、アナログ位相シフタにより乗じられる位相ベクトルを示す。即ち、Ｗによってアナログビームフォーミングの方向が決定される。ここで、ＣＳＩ−ＲＳアンテナポートとＴＸＲＵとのマッピングは、一対一又は一対多である。
【００４９】
より多くの通信機器がより大きな通信容量を要求することにより、既存のＲＡＴ（Radio Access Technology）に比べて向上した無線広帯域通信に対する必要性が台頭しつつある。また、複数の機器及びモノを接続していつでもどこでも様々なサービスを提供する大規模（massive）ＭＴＣ（Machine Type Communications）が次世代通信において考慮される主な論点（イッシュ）（issues）の１つである。のみならず、信頼度（reliability）及びレイテンシ（latency）にセンシティブ（敏感）な（susceptible）サービス／ＵＥを考慮した通信システムデザインが提示されている。これを考慮した次世代ＲＡＴの導入が論議されており、本発明では、便宜のために、Ｎｅｗ  ＲＡＴと称する。
【００５０】
ＴＤＤシステムにおいてデータ送信レイテンシを最小にするために５世代ＮｅｗＲＡＴでは、図８のような自己完結型（Seif-contained）サーブフレームの構造を考慮している。図８は、自己完結型サーブフレームの構造の一例を示す図である。
【００５１】
図８において、斜線領域は下りリンク制御領域を示し、黒塗り領域は上りリンク制御領域を示す。表示（mark）のない領域は、下りリンクデータ送信のために用いられてもよく、上りリンクデータ送信のために用いられてもよい。この構造の特徴は、１つのサーブフレームにおいて下りリンク送信と上りリンク送信とが順次（in due order）行われ、当該サーブフレーム内で下りリンクデータを送信したり、上りリンクＡＣＫ／ＮＡＣＫを受信したりすることもできる。結果として、データ送信エラーが発生したとき、データの再送信までかかる時間を減らすことになり、これによって最終データ伝達のレイテンシを最小にすることができる。
【００５２】
このような自己完結型サブフレーム構造において、基地局及びＵＥが送信モードから受信モードに切り替えられる過程、又は受信モードから送信モードに切り替えられる過程のためには、時間間隙（time gap）が必要である。そのために、自己完結型サブフレーム構造において、下りリンクから上りリンクに切り替えられる時点の一部のＯＦＤＭシンボル（OFDM symbol；ＯＳ）がＧＰ（Guard Period）として設定される。
【００５３】
ＮｅｗＲＡＴをベースとして動作するシステムにおいて、構成／設定が可能な上述した自己完結型サーブフレームタイプの一例として、少なくとも以下のような４つのサーブフレームタイプが考えられる。
【００５４】
−  下りリンク制御区間＋下りリンクデータ区間＋ＧＰ＋上りリンク制御区間
【００５５】
−  下りリンク制御区間＋下りリンクデータ区間
【００５６】
−  下りリンク制御区間＋ＧＰ＋上りリンクデータ区間＋上りリンク制御区間
【００５７】
−  下りリンク制御区間＋ＧＰ＋上りリンクデータ区間
【００５８】
現在のＮＲシステムにおいて、ＤＭ−ＲＳは、スロットの前側のＯＦＤＭシンボルでのみ送信される構造である。これをスロット前端割り当て（Front loaded DM-RS only）構造と称する。また、スロットの前側のＯＦＤＭシンボルにＤＭ−ＲＳが送信され、さらにスロットの後側のＯＦＤＭシンボルにもＤＭ−ＲＳが送信される場合も具現されている。すなわち、スロット前端割り当て構造において、追加のＤＭ−ＲＳが付加されたものである。
【００５９】
本発明では、ＵＥがデータ情報及び制御情報をデコードするためにＤＭ−ＲＳを受信する場合、基地局がＵＥにＤＣＩ（Downlink Control Information）又はＭＡＣ／ＲＲＣ層信号などの上位層信号によって下りリンクＤＭ−ＲＳ情報を知らせる方法を提案する。本発明は、基地局がＵＥにＤＣＩによって上りリンクＤＭ−ＲＳ情報を知らせる方法に活用することもできる。
【００６０】
＜第１の実施例＞
【００６１】
本発明の第１の実施例では、ＤＭ−ＲＳコーム（comb）値（すなわち、ＲＰＦ（Repetition Factor））が２である場合、以下の表１のようなＣＤＭを活用した８ポートＤＭ−ＲＳ設計及びランク別のポート情報シグナリング方法を説明する。
【００６２】
＜表１＞
【表１】
2019536337.tif 000003
【００６３】
第１の実施例は、周波数軸における２つのコームを用いて、ポート｛１，２，５，７｝とポート｛３，４，６，８｝とがＦＤＭされる。例えば、偶数のインデックスのＲＥがコーム１を構成して、偶数（奇数）（odd）のインデックスのＲＥがコーム２を構成するようにしてもよい。或いは、ＲＥバンドリングを適用して、コームを構成してもよい。例えば、２つの隣接するＲＥを１つのＲＥバンドルでグループ化して、バンドリングされたＲＥ単位でコームを適用する。この場合、１つのＲＢを構成するＲＥ０からＲＥ１１が存在するとき、ＲＥ（０，１）、（４，５）、（８，９）がコーム１を構成して、ＲＥ（２，３）、（６，７）、（１０，１１）がコーム２を構成する。
【００６４】
各コームにおいては、ＣＤＭに基づいてポートが多重化される。ＣＤＭ１乃至ＣＤＭ６は、周波数領域又は周波数及び時間領域で生成される。例えば、ＣＤＭ１乃至ＣＤＭ６は、周波数領域でのみ定義されることができ、ＤＭ−ＲＳシーケンスのＣＳ（Cycling Shift）又は、ウォルシュコード（Walsh code）のような長さ６のＯＣＣ（Orthogonal Cover Code）を用いて定義されることができる。この場合、基地局は、ＵＥにスロット前端割り当てＤＭ−ＲＳシンボルを１つのみ用いるか、又は２つを用いて１番目のシンボルのＤＭ−ＲＳを２番目のシンボルに（で）繰り返し送信するかを指示する。当該情報は、ＤＣＩフィールドにおけるＤＭ−ＲＳ情報にジョイントエンコーディング（joint encoding）されて指示されることができ、ランクＮ（例えば、Ｎ＝４又は６）以下でのみ繰り返しの有無が指示され、それ以上では常に繰り返すことを仮定することができる。
【００６５】
ランクＮ以下のＳＵ（Single User）ＭＩＭＯ送信の場合、ＤＭ−ＲＳを繰り返すと、２つのシンボルを使用することによってＤＭ−ＲＳオーバーヘッドが過度に増加し、２つのシンボルにわたってＤＭ−ＲＳを受信しなければならないことから、デコーディングレイテンシが発生するため、かえって性能が劣化することがある。この状況では、繰り返さないことが好ましい。一方、ＭＵ（Multi User）ＭＩＭＯ送信である場合、総ランクを増加させるために繰り返すことが好ましいため、基地局がＳＵ／ＭＵによって繰り返すか否かを活性化又は非活性化することができる。しかしながら、ランクＮ以上では、ＳＵ  ＭＩＭＯ送信であっても繰り返して、ＤＭ−ＲＳオーバーヘッドを増やすことが性能において利得があるため、常に繰り返すことを仮定する。
【００６６】
上述のように、ランクＮ以下では、ＤＣＩフィールドにおけるＤＭ−ＲＳ情報にスロット前端割り当てＤＭ−ＲＳシンボル数がジョイントエンコーディングされて伝達され、２つのＤＭ−ＲＳシンボルに（で）ＤＭ−ＲＳが送信される場合、時間軸にＯＣＣ［１  １］によって繰り返し／拡散（spreading）されるか、ＯＣＣ［１  −１］によって繰り返し／拡散されることができる。もちろん、ランクＮを超える場合には、常に２つのＤＭ−ＲＳシンボルが使用される。
【００６７】
また、ＣＤＭ１乃至ＣＤＭ６は、周波数領域及び時間領域において定義されることができ、ＣＤＭ１とＣＤＭ２とは、時間領域において長さ２のＯＣＣによって区分（互いに識別）され（identified from each other）、ＣＤＭ３とＣＤＭ４とは、時間領域において長さ２のＯＣＣによって区分され、ＣＤＭ５とＣＤＭ６とは、時間領域において長さ２のＯＣＣによって区分され、ＣＤＭ１，３，５は、周波数領域において３つのＣＳ又は長さ３のＯＣＣによって区分され、ＣＤＭ２，４，６は、周波数領域において３つのＣＳ又は長さ３のＯＣＣによって区分される。すなわち、ポートの定義は、以下の表２のように、Ｆ−ＣＤＭとＴ−ＣＤＭとに区分（分類）されて（categorized）定義されることができる。
【００６８】
＜表２＞
【表２】
2019536337.tif 000004
【００６９】
上記表１において、ＣＤＭ１は、ＦＣＤＭ１とＴＣＤＭ１との組み合わせを示し、ＣＤＭ２は、ＦＣＤＭ１とＴＣＤＭ２との組み合わせを示し、ＣＤＭ３は、ＦＣＤＭ２とＴＣＤＭ１との組み合わせを示す。また、ＣＤＭ４は、ＦＣＤＭ２とＴＣＤＭ２との組み合わせを示し、ＣＤＭ５は、ＦＣＤＭ３とＴＣＤＭ１との組み合わせを示し、ＣＤＭ６は、ＦＣＤＭ３とＴＣＤＭ２との組み合わせを示す。
【００７０】
さらに、基地局は、ＵＥに、周波数領域において３つのＣＳ（又は、長さ３のＯＣＣ）を使用するか、２つのＣＳ（又は、長さ２のＯＣＣ）を使用するかを指示することができる。ＳＵ  ＭＩＭＯ送信の場合、３つのＣＳ（又は、長さ３のＯＣＣ）を使用すると、かえって性能が劣化することがあるため、２つのＣＳ（又は、長さ２のＯＣＣ）を用いることを好ましい。ただし、ＣＤＭ５及び６は省略され、これに対応するＦＣＤＭ３は省略される。ＭＵ  ＭＩＭＯ送信の場合、総ランクを増やすために、３つのＣＳ（又は、長さ３のＯＣＣ）を使用することが好ましいため、基地局がＳＵ  ＭＩＭＯ／ＭＵ  ＭＩＭＯによって当該値を指示する。
【００７１】
また、ＣＤＭ１乃至ＣＤＭ６は、周波数領域及び時間領域で定義されることができ、２つのシンボルの各々に対して同一のコーム内の周波数軸上で隣接する３つのＲＥからなる合計（総）（total）６つのＲＥごと（別）に（per）、ＣＳ又は長さ６のＯＣＣによって区分（互いに識別）される（identified from one another）。この場合、基地局は、ＵＥに、２つのシンボルの各々に対して同一のコーム内の周波数軸上で隣接する３つのＲＥからなる合計６つのＲＥごとにＣＳ又は長さ６のＯＣＣを用いるか、又は２つのシンボルの各々に対して同一のコーム内の周波数軸上で隣接する２つのＲＥからなる合計４つのＲＥごとにＣＳ又は長さ４のＯＣＣを用いるかを指示することができる。
【００７２】
ＳＵ  ＭＩＭＯ送信の場合、前者の使用は、かえって性能が劣化することがあり、後者を使用することが好ましく、ＭＵ  ＭＩＭＯ送信の場合は、総ランクを増やすために前者を使用することが好ましいため、基地局が、ＳＵ  ＭＩＭＯ送信又はＭＵ  ＭＩＭＯ送信によって当該値を指示する。同様に、ＣＤＭ１乃至ＣＤＭ６が周波数領域でのみ定義されるときにも、ＯＣＣ長さが指示されてもよい。
【００７３】
ポート１及びポート２は、同一のｃｏｍｂを用いるため、ランク１からランク２に拡張されるとき、さらなるＤＭ−ＲＳオーバーヘッドが発生しない。ランク３からは、他のコームを用いるため、さらなるＤＭ−ＲＳオーバーヘッドが発生する構造である。この構造は、ＬＴＥシステムのＤＭ−ＲＳと同様にランク３からオーバーヘッドの増加を引き起こす。結果として、ランク２以下では、ＤＭ−ＲＳオーバーヘッドを低く維持して、多くのデータＲＥを確保するため、スペクトル（spectral）効率（efficiency）の側面において利得があり、ランク３以上では、ＤＭ−ＲＳパワー（電力）ブースティング（power boosting）を用いてチャネル推定性能向上において利得が得られる。
【００７４】
最大ランク１２でＭＵ  ＭＩＭＯができるようにするために、低いインデックスのポート（すなわち、ポート１乃至ポート４）には、追加のＣＤＭを選択することが好ましい。すなわち、ポート１乃至ポート３は、ＣＤＭ１の他にＣＤＭ５を選択することができる。すなわち、ポート２及びポート４は、ＣＤＭ２の他にＣＤＭ６を選択することができる。このようなＣＤＭの選択は、基本的にＤＭ−ＲＳ情報が伝達されるＤＣＩフィールドにポート情報と共にジョイントエンコーディングされて伝達されることができる。しかしながら、ＤＣＩオーバーヘッドが増えることを防止するためには、ポート１乃至ポート４がいずれのＣＤＭを使用するかを、ＵＥ固有にＲＲＣ／ＭＡＣなどの上位層信号によって指示することができる。この場合、ＣＤＭ情報が動的に変更されないため、ＭＵ  ＭＩＭＯスケジューリングは制限され得る。
【００７５】
再び表１を参考すると、ポート１からポート８までがＵＥに指示されることができ、ポート１乃至ポート４にＣＤＭ情報をさらに指示して、各ＵＥが最大直交ＭＵ  ＭＩＭＯランクを増加させるために用いる。基地局がランク１２のＭＵ  ＭＩＭＯを行わずに、最大のランク８のＭＵ  ＭＩＭＯのみを考慮する場合、ＣＤＭ５又は６を用いる場合を除いて、よりコンパクト（compact）なＤＣＩによってＤＭ−ＲＳ情報をＵＥに知らせる。最大８ＭＵを考慮したＤＭ−ＲＳテーブルに基づいたコンパクトなＤＭ−ＲＳ情報を指示するか、又は最大１２ＭＵを考慮したＤＭ−ＲＳテーブルに基づいた一般のＤＭ−ＲＳ情報を指示するかは、基地局がＵＥにＲＲＣ信号で知らせ、これによってＤＣＩペイロードが変更される。
【００７６】
より具体的には、ランク１においては、ポート１から８までがＵＥに指示され、ポート１乃至ポート４にＣＤＭ情報をさらに指示して、各ＵＥがランク１を送信するとき、合計（総）１２のＵＥを（に関して）ＭＵ  ＭＩＭＯ送信を行うことができる。
【００７７】
ランク２では、ポート（１，２）、（３，４）、（５，６）、（７，８）が指示され、ポート１乃至ポート４にＣＤＭ情報をさらに指示して、ＭＵ  ＭＩＭＯにおいてサポート可能な最大ランクを増加させる。ランク２における（５，６）又は（７，８）の場合、１つのＵＥの観点からランク２を送信するとき、２つのコームを用いる反面、ランク２における（１，２）又は（３，４）の場合、１つのコームのみを用いる。その結果、互いに異なる２つの具現方式をサポートしなければならないため、具現の複雑さが高くなり得る。これを解決するためには、ランク２において、（５，６）又は（７，８）の代わりに（５，７）又は（６，８）を定義することができる。しかしながら、（５，６）又は（７，８）の代わりに（５，７）又は（６，８）を定義する場合、様々なＭＵランクをサポートするのに制約が生じ得る。
【００７８】
ランク５では、以下のような２つの値を指示することができる。
【００７９】
−  ポート１（ＣＤＭ１）、ポート２（ＣＤＭ２）、ポート３（ＣＤＭ１）、ポート４（ＣＤＭ２）、ポート５
【００８０】
−  ポート１（ＣＤＭ５）、ポート２（ＣＤＭ６）、ポート３（ＣＤＭ５）、ポート４（ＣＤＭ６）、ポート６
【００８１】
ランク２において、（５，６）又は（７，８）を定義した場合、ポート１（ＣＤＭ５）、ポート２（ＣＤＭ６）、ポート３（ＣＤＭ５）、ポート４（ＣＤＭ６）、ポート６を定義して、ランク５＋５＋２＝ランク１２のＭＵをサポートすることができる。一方、ランク２において、（５，６）又は（７，８）の代わりに（５，７）又は（６，８）を定義した場合、ポート１（ＣＤＭ５）、ポート２（ＣＤＭ６）、ポート３（ＣＤＭ５）、ポート４（ＣＤＭ６）、ポート６の代わりに、ポート１（ＣＤＭ５）、ポート２（ＣＤＭ６）、ポート３（ＣＤＭ５）、ポート４（ＣＤＭ６）、ポート７を定義して、ランク５＋５＋２＝ランク１２のＭＵをサポートすることができる。すなわち、ランク２のポートがどのように定義されるかによって、ランク５におけるポートの定義が変更される。
【００８２】
ランク６においても、ランク５の説明と同様に、ランク２のポートの定義によって、ランク６のポートの定義が変更される。ランク２において、（５，６）又は（７，８）を定義した場合、
【００８３】
−  ポート１（ＣＤＭ１）、ポート２（ＣＤＭ２）、ポート３（ＣＤＭ１）、ポート４（ＣＤＭ２）、ポート５、ポート６
【００８４】
−  ポート１（ＣＤＭ５）、ポート２（ＣＤＭ６）、ポート３（ＣＤＭ５）、ポート４（ＣＤＭ６）、ポート７、ポート８
【００８５】
を定義して、ランク６＋２＋２＋２＝ランク１２ＭＵをサポートすることができる。
【００８６】
一方、ランク２において、（５，６）又は（７，８）の代わりに（５，７）又は（６，８）を定義した場合、
【００８７】
−  ポート１（ＣＤＭ１）、ポート２（ＣＤＭ２）、ポート３（ＣＤＭ１）、ポート４（ＣＤＭ２）、ポート５、ポート７
【００８８】
−  ポート１（ＣＤＭ５）、ポート２（ＣＤＭ６）、ポート３（ＣＤＭ５）、ポート４（ＣＤＭ６）、ポート６、ポート８
【００８９】
を定義して、ランク６＋２＋２＋２＝ランク１２ＭＵをサポートすることができる。
【００９０】
コードワード対レイヤマッピングが、ランク４以下では単一コードワード、それ以上ではダブル（Double）コードワードが用いられる場合、ＤＭ−ＲＳ指示は、単一コードワードにおいてランク１からランク４までのＤＭ−ＲＳ情報を送信して、ダブルコードワードにおいてランク５からランク８までのＤＭ−ＲＳ情報を送信する。
【００９１】
コードワード対レイヤマッピングが、ランク２以下では単一コードワード、それ以上ではダブルコードワードが用いられる場合、ＤＭ−ＲＳ指示は、単一コードワードにおいて、上述したランク１からランク２までのＤＭ−ＲＳ情報を送信して、ダブルコードワードにおいて、上述したランク３からランク８までのＤＭ−ＲＳ情報を送信する。但し、再送信時には、単一コードワードであってもランク３及びランク４をサポートする必要があるため、単一コードワードにおいても、ランク３の１番目の値及びランク４の１番目の値は、指示されることができる。
【００９２】
６ＧＨｚ以上に該当するｍｍＷｖ通信システムでは、強いパスロス（pathloss）によって、ｎｏｎ−ＬＯＳ（Line Of Sight）チャネルが弱い電力で構成される。よって、Ｘ−ｐｏｌアンテナが利用された場合、最大ランクは、Ｋ（例えば、Ｋ＝２）に限定される可能性が高い。結果として、上述したランク情報のうちランクＫ以下で（のみと）ＤＣＩのＤＭ−ＲＳフィールドが定義されるべきである。ここで、基地局は、ＤＣＩ内にランクＫ以下のみで構成されたＤＭ−ＲＳフィールドを定義して、これをＵＥにシグナリングする。当該ＤＭ−ＲＳフィールドが使用されたことを、基地局がＵＥに上位層制御信号、すなわち、ＲＲＣシグナリング／ＭＡＣシグナリングによって知らせることができる。また、搬送波周波数によってｍｍＷｖ通信を行う場合に限って、ＤＭ−ＲＳフィールドを用いることを、基地局とＵＥとが相互に約束してもよい。
【００９３】
コードワード対レイヤのマッピングによって、４レイヤまで単一コードワードが用いられ、その他には２コードワードが用いられる場合、基地局は、ＤＣＩペイロードを減らすために、ＭＣＳ／ＲＶ／ＮＤＩフィールドを１つのみ定義するか、又はＭＣＳ／ＲＶ／ＮＤＩフィールドを２つ定義するかをＲＲＣシグナリングすることができる。例えば、基地局アンテナが４つ以下であるか、ＵＥアンテナが４つ以上である場合、常に単一コードワードのみを用いるため、ＭＣＳ／ＲＶ／ＮＤＩフィールドを１つのみ定義しても十分である。
【００９４】
ＭＣＳ／ＲＶ／ＮＤＩフィールドの数を示す上記ＲＲＣシグナリングで、ＤＣＩにおけるＤＭ−ＲＳフィールド、すなわち、ＤＭ−ＲＳテーブルが変更されることができる。例えば、ＭＣＳ／ＲＶ／ＮＤＩフィールド数が１つである場合、ＤＭ−ＲＳテーブルは、ランク４以下のみで構成され、当該テーブルがＤＣＩによって伝達される。一方、ＭＣＳ／ＲＶ／ＮＤＩフィールド数が２つである場合、ＤＭ−ＲＳテーブルは、ランク８以下のみで構成され、当該テーブルがＤＣＩによって伝達される。
【００９５】
他のＵＥとＭＵ  ＭＩＭＯ送信を行うとき、ＤＭ−ＲＳシンボルにおいて１つのＵＥのＤＭ−ＲＳ  ＲＥを除いた他のＲＥが、他のＵＥのＤＭ−ＲＳ送信のために用いられることができる。この場合、データとＤＭ−ＲＳとの間の干渉を避けるために、他のＵＥのＤＭ−ＲＳ  ＲＥに自体のデータがレートマッチングされる必要がある。基地局は、レートマッチングを指示するために、レートマッチングされるＤＭ−ＲＳコーム情報をさらにＵＥに指示する。ＵＥは、自体のＤＭ−ＲＳが存在するコームを除いて、いずれのコームがレートマッチングされるべきか（すなわち、データが送信されるか）を基地局から指示される。例えば、コームが３つ存在する場合（すなわち、ＲＰＦ＝３である場合）、自体のＤＭ−ＲＳがコーム０に存在するとき、コーム１及びコーム２のうちのデータがレートマッチングされるコームをＵＥに知らせる必要がある。逆に、ＤＭ−ＲＳシンボルにおいて何番目のコーム（及び、合計（総）何個のコーム）にデータ／制御情報が送信されるかを知らせることができる。
【００９６】
ＲＰＦがＮであり、Ｋ個のコームにデータ又は他のＲＳ（例えば、ＳＲＳ又はＣＳＩ−ＲＳ）が送信された場合、ＵＥは、各ＤＭ−ＲＳポートがＮ−Ｋ倍だけパワーブースティングされたと仮定して、データをデコードする。２つのバンドリングされたＲＥ単位でｃｏｍｂが定義されるときにも、同様な方式でパワーブースティングを適用する。例えば、２つのバンドリングされたＲＥ単位で２コーム（すなわち、ＲＰＦ＝２）が用いられるとは、ＲＥ（０，１）、（４，５）、（８，９）がコーム１を構成して、その他のＲＥ（２，３）、（６，７）、（１０，１１）がコーム２を構成することを意味する。
【００９７】
データレートマッチングにＺＰ  ＣＳＩ−ＲＳが用いられる場合、特定のＤＭ−ＲＳコームに該当するＲＥをＺＰ  ＣＳＩ−ＲＳで示すことができない。これは、ＺＰ  ＣＳＩ−ＲＳのＲＥパターンが、ＤＭ−ＲＳとは異なるためである。よって、レートマッチングの対象となるＤＭ−ＲＳコームを含むＲＥの和集合でＺＰ  ＣＳＩ−ＲＳを指示しなければならず、この場合、ＵＥは、ＺＰ  ＣＳＩ−ＲＳと自体のＤＭ−ＲＳとが重なるＲＥに対して、ミューティング（muting）ではないＤＭ−ＲＳが送信されると仮定する。
【００９８】
上述したＤＭ−ＲＳ情報に加えて、ＯＣＣ長、ＤＭ−ＲＳシンボル数、時間領域においてＯＣＣを適用するか否か、時間領域において繰り返し（repetition）を行うか否か、ｎＳＣＩＤ、仮想セル識別子（virtual Cell ID）、当該ＵＥが受信（又は、送信）すべきＤＭ−ＲＳが何番目のコームを使用するかの情報、ＤＭ−ＲＳシンボルにデータ（又は、制御情報）が送信されるコームの情報（具体的には、何番目のコームにデータが送信され、何個のコームにデータが送信されるかなど）が、共にジョイントエンコーディングされて指示されてもよく、ランク情報の代わりに、レイヤ数情報がＤＭ−ＲＳ情報として指示されてもよい。
【００９９】
第１の実施例の具体的な提案は、以下の実施例にも同様に適用されることができる。以下の実施例において、説明が重なることを避けるために、第１の実施例の細部の提案と同様に適用される内容は、その説明を省略する。
【０１００】
＜第２の実施例＞
【０１０１】
以下の表３は、本発明の第２の実施例によるＤＭ−ＲＳ構成を示す。
【０１０２】
＜表３＞
【表３】
2019536337.tif 000005
【０１０３】
第１の実施例と比較すると、第２の実施例では、ポート１とポート２とが異なるコームで構成され、これによって、ランク１からランク２に増加するとき、ＤＭ−ＲＳオーバーヘッドが２倍に増加する構造となる。この場合、第１の実施例とは異なり、第２の実施例は、ランク２のポート指示において、ポート（５，７）、（６，８）は意味がないため、除去する。
【０１０４】
ＣＤＭ１乃至ＣＤＭ６は、周波数及び時間領域において定義されることができ、ＣＤＭ１とＣＤＭ２とは、時間領域において長さ２のＯＣＣによって区分（互いに識別）され（identified from each other）、ＣＤＭ３とＣＤＭ４とは、時間領域において長さ２のＯＣＣによって区分され、ＣＤＭ５とＣＤＭ６とは、時間領域において長さ２のＯＣＣによって区分され、ＣＤＭ１、ＣＤＭ３とＣＤＭ５とは、周波数領域において３つのＣＳ又は長さ３のＯＣＣによって区分され、ＣＤＭ２、ＣＤＭ４及びＣＤＭ６は、周波数領域において３つのＣＳ又は長さ３のＯＣＣによって区分される。すなわち、ポートの定義は、以下の表４のように、Ｆ−ＣＤＭとＴ−ＣＤＭとに区分（分類）されて（categorized）定義されることができる。
【０１０５】
＜表４＞
【表４】
2019536337.tif 000006
【０１０６】
すなわち、ＣＤＭ１は、ＦＣＤＭ１とＴＣＤＭ１との組み合わせを示し、ＣＤＭ２は、ＦＣＤＭ１とＴＣＤＭ２との組み合わせを示し、ＣＤＭ３は、ＦＣＤＭ２とＴＣＤＭ１との組み合わせを示す。ＣＤＭ４は、ＦＣＤＭ２とＴＣＤＭ２との組み合わせを示し、ＣＤＭ５は、ＦＣＤＭ３とＴＣＤＭ１との組み合わせを示し、ＣＤＭ６は、ＦＣＤＭ３とＴＣＤＭ２との組み合わせを示す。
【０１０７】
＜第３の実施例＞
【０１０８】
以下の表５は、本発明の第３の実施例によるＤＭ−ＲＳの構成を示す。
【０１０９】
＜表５＞
【表５】
2019536337.tif 000007
【０１１０】
第３の実施例では、周波数軸における３つのコームを用いて、ポート（１，２，７）、ポート（３，４，８）及びポート（５，６）がＦＤＭされる。例えば、コームｉは、ＲＥ  ｉｎｄｅｘ％  ３＋１＝ｉを満たすＲＥで構成することができる。
【０１１１】
また、ＲＥバンドリングを適用してコームを構成することができる。例えば、２つの隣接するＲＥを１つのＲＥバンドルにグループ化し、バンドリングされたＲＥ単位でコームを適用する。このとき、ＲＥ０からＲＥ１１までが１つのＲＢを構成する場合、ＲＥ（０，１）、（６，７）がコーム１と定義され、ＲＥ（２，３）、（８，９）がコーム２と定義され、ＲＥ（４，５）、（１０，１１）がコーム３と定義される。
【０１１２】
各コームにおいては、ＣＤＭによってポートが多重化される。ＣＤＭ１乃至ＣＤＭ４は、周波数領域又は周波数及び時間領域で生成される。
【０１１３】
例えば、ＣＤＭ１乃至ＣＤＭ４は、周波数領域でのみ定義されることができ、ＤＭ−ＲＳシーケンスのＣＳ又は長さ４のＯＣＣを用いて定義されることができる。この場合、基地局は、ＵＥにスロット前端割り当てＤＭ−ＲＳシンボルを１つのみ用いるか、又は２つを用いて、１番目のシンボルのＤＭ−ＲＳを２番目のシンボルに繰り返し送信するかを指示する。当該情報は、ＤＣＩフィールドにおけるＤＭ−ＲＳ情報にジョイントエンコーディングされて指示されることができ、ランクＮ（例えば、Ｎ＝４又は６）以下でのみ繰り返しの有無が指示され、それ以上では常に繰り返す、と仮定することができる。
【０１１４】
ランクＮ以下では、ＳＵ  ＭＩＭＯ送信の場合、繰り返すのがかえって性能が劣化する場合があり、繰り返さないことが好ましく、ＭＵ  ＭＩＭＯ送信の場合は、総ランクを増やすために繰り返すことが好ましいため、基地局がＳＵ  ＭＩＭＯ送信であるか、ＭＵ  ＭＩＭＯ送信であるかによって、繰り返しをｏｎ／ｏｆｆする。一方、ランクＮ以上では、ＳＵ  ＭＩＭＯ送信であっても、繰り返してＤＭ−ＲＳのオーバーヘッドを増やした方が性能において利得があるため、常に繰り返すことを仮定する。
【０１１５】
このような方式によって、ランクＮ以下でＤＣＩフィールド内のＤＭ−ＲＳ情報にスロット前端割り当てＤＭ−ＲＳシンボルの数がジョイントエンコーディングされて伝達され、２つのＤＭ−ＲＳシンボルにＤＭ−ＲＳが送信される場合、時間軸上でＯＣＣ［１  １］によって繰り返し／拡散されるか、又はＯＣＣ［１  −１］によって繰り返し／拡散されることができる。ランクＮを超える場合には、ＤＭ−ＲＳシンボルは、常に２つを用いる。或いは、１つのポートが１つのシンボルで占めるＲＥが４つであることを考えて、低いＲＳ密度による性能劣化を防止するために、ＳＵ  ＭＩＭＯ送信であるかＭＵ  ＭＩＭＯ送信であるかには関係なく、常に２つのシンボルを用いて繰り返されることを仮定する。
【０１１６】
また、ＣＤＭ１乃至ＣＤＭ４は、周波数及び時間領域において定義されることができ、ＣＤＭ１とＣＤＭ２とは、時間領域において長さ２のＯＣＣによって区分（互いに識別）され（identified from each other）、ＣＤＭ３とＣＤＭ４とは、時間領域において長さ２のＯＣＣによって区分され、ＣＤＭ１，３は、周波数領域において２つのＣＳ又は長さ２のＯＣＣによって区分され、ＣＤＭ２，４は、周波数領域において２つのＣＳ又は長さ２のＯＣＣによって区分される。すなわち、ＣＤＭ１は、ＦＣＤＭ１とＴＣＤＭ１との組み合わせを、ＣＤＭ２は、ＦＣＤＭ１とＴＣＤＭ２との組み合わせを、ＣＤＭ３は、ＦＣＤＭ２とＴＣＤＭ１との組み合わせを、ＣＤＭ４は、ＦＣＤＭ２とＴＣＤＭ２との組み合わせを示す。
【０１１７】
他の例として、ＣＤＭ１乃至ＣＤＭ４は、周波数及び時間領域において定義されることができ、２つのシンボルの各々において、同一のコーム内の周波数軸に隣接する２つのＲＥからなる合計４つのＲＥごとに、ＣＳ又は長さ４のＯＣＣによって区分（互いに識別）される（identified from one another）。
【０１１８】
ポート１とポート２とは同一のコームを用いるため、ランク１からランク２に拡張されたとき、更なるＤＭ−ＲＳオーバーヘッドが発生しない。しかしながら、ランク３からは他のコームを用いるため、更なるＤＭ−ＲＳオーバーヘッドが発生する。具体的には、ランク３及びランク４では、ＤＭ−ＲＳオーバーヘッドがランク１に比べて２倍に増加し、ランク５以上では、ランク１に比べて３倍に増加する。結果として、ランク２以下では、ＤＭ−ＲＳオーバーヘッドを低く維持して、多くのデータＲＥを確保するため、スペクトル効率性の側面から利得があり、ランク３以上では、ＤＭ−ＲＳパワーブースティングを用いて、チャネル推定性能向上において利得がある。
【０１１９】
最大ランク１２でＭＵ  ＭＩＭＯができるようにするために、低いインデックスのポート、すなわち、ポート１乃至ポート４には、追加のＣＤＭを選択することが好ましい。すなわち、ポート１及びポート３は、ＣＤＭ１の他にＣＤＭ４を選択することができ、ポート２、４は、ＣＤＭ２の他にＣＤＭ４を選択することができる。このようなＣＤＭの選択は、基本的には、ＤＭ−ＲＳ情報が伝達されるＤＣＩフィールドにポート情報と共にジョイントエンコーディングされて伝達されることができる。しかしながら、ＤＣＩオーバーヘッドが増えることを防止するためには、ポート１乃至ポート４がいずれのＣＤＭを用いるかを、ＵＥ固有にＲＲＣ／ＭＡＣなどの上位層信号によって指示することができる。この場合には、ＣＤＭ情報が動的に変更されないため、ＭＵ  ＭＩＭＯスケジューリングは制限され得る。
【０１２０】
上記表５は、各ランク別にＵＥに指示可能なポート値を示したものであって、ポート１から８までがＵＥに指示されることができ、ポート１乃至ポート４にＣＤＭ情報をさらに指示して、各ＵＥが最大直交ＭＵ  ＭＩＭＯランクを増加させるために用いる。基地局がランク１２ＭＵ  ＭＩＭＯを行わず、最大ランク８ＭＵ  ＭＩＭＯのみを考慮する場合、ＣＤＭ５又は６を用いる場合を除いて、ＤＭ−ＲＳ情報をよりコンパクト（compact）なＤＣＩによってＵＥに知らせる。最大８ＭＵを考慮したＤＭ−ＲＳテーブルに基づいたコンパクトなＤＭ−ＲＳ情報を指示するか、最大１２ＭＵを考慮したＤＭ−ＲＳテーブルに基づいた一般のＤＭ−ＲＳ情報を指示するかは、基地局がＵＥにＲＲＣ信号で知らせ、これによってＤＣＩペイロードが変更される。
【０１２１】
＜第４の実施例＞
【０１２２】
以下の表６は、本発明の第４の実施例によるＤＭ−ＲＳの構成を示す。
【０１２３】
＜表６＞
【表６】
2019536337.tif 000008
【０１２４】
第３の実施例と比較すると、第４の実施例では、ポートインデックスが増加し、順次コームが増加する構造である。すなわち、ポート１はコーム１と定義され、ポート２はコーム２と定義され、ポート３はコーム３と定義され、ポート４からは再びコーム１と定義される。第３の実施例と比較すると、第４の実施例のポート２は、ＣＤＭ１又はＣＤＭ４のうちの１つを利用することになる。
【０１２５】
＜第５の実施例＞
【０１２６】
以下の表７は、本発明の第５の実施例によるＤＭ−ＲＳの構成を示す。
【０１２７】
＜表７＞
【表７】
2019536337.tif 000009
【０１２８】
第５の実施例では、周波数軸における４つのコームを用いて、ポート（１，２）、ポート（３，４）、ポート（５，６）及びポート（７，８）がＦＤＭされる。例えば、コームｉは、ＲＥ  ｉｎｄｅｘ％  ４＋１＝ｉを満たすＲＥで構成することができる。また、ＲＥバンドリングを適用してコームを構成することができる。例えば、３つの隣接するＲＥを１つのＲＥバンドルにグループ化し、バンドリングされたＲＥ単位でコームを適用する。
【０１２９】
各ｃｏｍｂにおいては、ＣＤＭによってポートが多重化される。ＣＤＭ  １乃至ＣＤＭ  ３は、周波数領域又は周波数領域及び時間領域において生成される。
【０１３０】
例えば、ＣＤＭ１乃至ＣＤＭ３は、周波数領域でのみ定義されることができ、３つのＣＳ又は長さ３のＯＣＣを用いて定義されることができる。１つのポートが１つのシンボルで占めるＲＥは３つのみであることを考慮して、低密度のＲＳによる性能劣化を防止するために、ＳＵ  ＭＩＭＯ送信又はＭＵ  ＭＩＭＯ送信には関係なく、常に２つのシンボルを用いて繰り返されると規定することができる。基地局がＳＵ  ＭＩＭＯのみを運営（運用）（管理）する（manages）か、又はランク８以下のＭＵ  ＭＩＭＯのみを運用する場合、ＣＤＭ３は不要であるため、ＣＤＭ１及びＣＤＭ２のみが存在する。この場合、周波数領域において２つのＣＳ又は長さ２のＯＣＣを用いる。基地局は、最大ランク１２ＭＵ  ＭＩＭＯ送信をサポートするか、又は最大ランク８ＭＵ  ＭＩＭＯ送信をサポートするかをＵＥに指示することができ、これによってＯＣＣ長及びＣＳ数が変更される。
【０１３１】
他の例として、ＣＤＭ１乃至ＣＤＭ３は、周波数及び時間領域において定義されることができ、ＣＤＭ１とＣＤＭ２とは、時間領域において長さ２のＯＣＣによって区分（互いに識別）され（identified from each other）、ＣＤＭ２とＣＤＭ３とは、時間及び周波数領域においていずれも長さ２のＯＣＣによって区分され、ＣＤＭ１とＣＤＭ３とは、ＤＭＳ周波数領域において２つのＣＳ又は長さ２のＯＣＣによって区分される。すなわち、ＣＤＭ１は、ＦＣＤＭ１とＴＣＤＭ１との組み合わせを示し、ＣＤＭ２は、ＦＣＤＭ１とＴＣＤＭ２との組み合わせを示し、ＣＤＭ３は、ＦＣＤＭ２とＴＣＤＭ１との組み合わせを示す。基地局がＳＵ  ＭＩＭＯのみを運営（運用）する（manages）か、又はランク８以下のＭＵ  ＭＩＭＯのみを運用する場合には、ＣＤＭ１及びＣＤＭ２のみが存在して、この場合、時間領域のＣＤＭのみが存在する。基地局は、最大ランク１２ＭＵ  ＭＩＭＯ送信をサポートするか、又は最大ランク８ＭＵ  ＭＩＭＯ送信をサポートするかをＵＥに指示することができ、これによって時間領域のＣＤＭのみが存在することができる。
【０１３２】
また、他の例として、ＣＤＭ１乃至ＣＤＭ３は、周波数及び時間領域において定義されることができ、２つのシンボルの各々における同一のコーム内の周波数軸上で隣接する２つのＲＥからなる合計４つのＲＥごとに、ＣＳ又は長さ４のＯＣＣによって区分（識別）される（identified）。
【０１３３】
ポート１とポート２とは、同一のコームを使用するため、ランク１からランク２に拡張されたとき、追加のＤＭ−ＲＳオーバーヘッドが発生しない。ランク３からは他のコームを使用するため、追加のＤＭ−ＲＳオーバーヘッドが発生し得る。すなわち、ランク３及びランク４では、ＤＭ−ＲＳオーバーヘッドがランク１に比べて２倍に増加し、ランク５及びランク６では、ランク１に比べて３倍に増加し、ランク７及びランク８では、４倍に増加する。結果として、ランク２以下では、ＤＭ−ＲＳオーバーヘッドを低く維持して、多くのデータＲＥを確保するため、スペクトル効率性の観点において利得があり、ランク３以上では、ＤＭ−ＲＳパワーブースティングを用いて、チャネル推定性能向上において利得がある。
【０１３４】
最大ランク１２でＭＵ  ＭＩＭＯができるようにするために、ポート１，３，５，７には、追加のＣＤＭを選択することが好ましい。すなわち、ポート１、ポート３、ポート５及びポート７は、ＣＤＭ１の他にＣＤＭ３を選択することができる。このようなＣＤＭの選択は、基本的には、ＤＭ−ＲＳ情報が伝達されるＤＣＩフィールドにポート情報と共にジョイントエンコーディングされて伝達されることができる。しかしながら、ＤＣＩオーバーヘッドが増えることを防止するためには、ポート１、ポート３、ポート５及びポート７がいずれのＣＤＭを用いるかを、ＵＥ固有にＲＲＣ／ＭＡＣなどの上位層信号によって指示することができる。但し、ＣＤＭ情報が動的に変更されないため、ＭＵ  ＭＩＭＯスケジューリングは制限され得る。
【０１３５】
上記表７は、各ランク別にＵＥに指示可能なポート値を示したものであって、ポート１から８までがＵＥに指示されることができ、ポート１乃至ポート４にＣＤＭ情報をさらに指示して、各ＵＥが最大直交ＭＵ  ＭＩＭＯランクを増加させるために用いる。基地局がランク１２ＭＵ  ＭＩＭＯを行わずに、ＣＤＭ３を用いる場合を除いて、よりコンパクト（compact）なＤＣＩによってＤＭ−ＲＳ情報をＵＥに知らせる。最大８ＭＵを考慮したＤＭ−ＲＳテーブルに基づいたコンパクトなＤＭ−ＲＳ情報を指示するか、又は最大１２ＭＵを考慮したＤＭ−ＲＳテーブルに基づいた一般のＤＭ−ＲＳ情報を指示するかは、基地局がＵＥにＲＲＣ信号で知らせ、これによってＤＣＩペイロードが変更される。
【０１３６】
＜第６の実施例＞
【０１３７】
以下の表８は、本発明の第６の実施例によるＤＭ−ＲＳの構成を示す。
【０１３８】
＜表８＞
【表８】
2019536337.tif 000010
【０１３９】
第６の実施例は、周波数軸における４つのコームを用いて、ポート（１，５）、ポート（２，６）、ポート（３，７）及びポート（４，８）がＦＤＭされる。例えば、コームｉは、ＲＥ  ｉｎｄｅｘ％  ４＋１＝ｉを満たすＲＥで構成することができる。また、ＲＥバンドリングを適用してコームを構成することができる。例えば、３つの隣接するＲＥを１つのＲＥバンドルにグループ化し、バンドリングされたＲＥ単位でコームを適用する。
【０１４０】
各々のコームにおいては、ＣＤＭによってポートが多重化される。ＣＤＭ１乃至ＣＤＭ３は、周波数領域又は周波数領域及び時間領域において生成される。ＣＤＭに関する詳しい内容は、第５の実施例と同様である。
【０１４１】
第５の実施例と比較すると、第６の実施例では、ポートインデックスが増加するにつれて、順次コームが増加する構造である。すなわち、ポート１はコーム１、ポート２はコーム２、ポート３はコーム３、ポート４はコーム４と定義され、ポート５からは再びコーム１と定義される方式である。
【０１４２】
最大ランク１２でＭＵ  ＭＩＭＯができるようにするために、ポート１乃至ポート４には、追加のＣＤＭを選択することが好ましい。すなわち、ポート１乃至ポート４は、ＣＤＭ１の他にＣＤＭ３を選択することができる。このようなＣＤＭの選択は、基本的には、ＤＭ−ＲＳ情報が伝達されるＤＣＩフィールドにポート情報と共にジョイントエンコーディングされて伝達されることができる。しかしながら、ＤＣＩオーバーヘッドが増えることを防止するために、ポート１乃至ポート４がいずれのＣＤＭを用いるかを、ＵＥ固有にＲＲＣ／ＭＡＣなどの上位層シグナリングによって指示することができる。この場合には、ＣＤＭ情報が動的に変更されないため、ＭＵ  ＭＩＭＯスケジューリングは制限され得る。
【０１４３】
上記表８は、各ランク別にＵＥに指示可能なポート値を示したものであって、ポート１からポート８までがＵＥに指示されることができ、ポート１乃至ポート４にＣＤＭ情報をさらに指示して、各ＵＥが最大直交ＭＵ  ＭＩＭＯランクを増加させるために用いる。基地局がランク１２ＭＵ  ＭＩＭＯを行わずに、最大ランク８ＭＵ  ＭＩＭＯのみを考慮する場合、ＣＤＭ３を用いるＤＭ−ＲＳ情報をよりコンパクト（compact）なＤＣＩによってＵＥに知らせる。最大８ＭＵを考慮したＤＭ−ＲＳテーブルに基づいたコンパクトなＤＭ−ＲＳ情報を指示するか、又は最大１２ＭＵを想定したＤＭ−ＲＳテーブルに基づいた一般のＤＭ−ＲＳ情報を指示するかは、基地局がＵＥにＲＲＣ信号で知らせ、これによってＤＣＩペイロードが変わる。
【０１４４】
＜第７の実施例＞
【０１４５】
以下の表９は、本発明の第７の実施例によるＤＭ−ＲＳの構成を示す。
【０１４６】
＜表９＞
【表９】
2019536337.tif 000011
【０１４７】
第７の実施例は、周波数軸における１つのコームを用いる。１つのコームにおいては、ＣＤＭによってポートが多重化される。ＣＤＭ１乃至ＣＤＭ１２は、周波数領域又は周波数領域及び時間領域において生成される。
【０１４８】
例えば、ＣＤＭ１乃至ＣＤＭ１２は、周波数領域でのみ定義されることができ、ＤＭ−ＲＳシーケンスのＣＳ又は長さ１２のＯＣＣを用いて定義されることができる。この場合、基地局は、ＵＥに、スロット前端割り当てＤＭ−ＲＳシンボルを１つのみ用いるか、又は２つを用いて、１番目のシンボルのＤＭ−ＲＳを２番目のシンボルに繰り返し送信するかを指示する。当該情報は、ＤＣＩフィールドにおけるＤＭ−ＲＳ情報にジョイントエンコーディングされて指示されることができ、ランクＮ（例えば、Ｎ＝４又は６）以下でのみ繰り返しの有無が指示され、それ以上では常に繰り返す、と仮定することができる。
【０１４９】
ランクＮ以下では、ＳＵ  ＭＩＭＯ送信の場合、繰り返しすことがかえって性能が劣化する可能性があり、繰り返さないことが好ましく、ＭＵ  ＭＩＭＯ送信の場合には、総ランクを増やすために繰り返すことが好ましいため、基地局が、ＳＵ  ＭＩＭＯ送信であるか又はＭＵ  ＭＩＭＯ送信であるかによって、繰り返すか否かをｏｎ／ｏｆｆする。一方、ランクＮ以上では、ＳＵ  ＭＩＭＯ送信であっても繰り返してＤＭ−ＲＳオーバーヘッドを増やすのが性能において利得があるため、常に繰り返すことを仮定する。このような方式によって、ランクＮ以下において、ＤＣＩフィールドにおけるＤＭ−ＲＳ情報にスロット前端割り当てＤＭ−ＲＳシンボルの数がジョイントエンコーディングされて伝達され、２つのＤＭ−ＲＳシンボルにＤＭ−ＲＳが送信される場合、時間軸上でＯＣＣ［１  １］によって繰り返し／拡散されるか、ＯＣＣ［１  −１］によって繰り返し／拡散されることができる。ランクＮを超える場合には、ＤＭ−ＲＳシンボルは、常に２つを利用する。
【０１５０】
他の例として、ＣＤＭ１乃至ＣＤＭ１２は、周波数及び時間領域において定義されることができ、ＣＤＭ１とＣＤＭ２とは、時間領域において長さ２のＯＣＣによって区分（互いに識別）され（identified from each other）、ＣＤＭ３とＣＤＭ４とは、時間領域において長さ２のＯＣＣによって区分され、ＣＤＭ５とＣＤＭ６とは、時間領域において長さ２のＯＣＣによって区分され、ＣＤＭ７，８は、時間領域において長さ２のＯＣＣによって区分され、ＣＤＭ９，１０は、時間領域において長さ２のＯＣＣによって区分され、ＣＤＭ１１とＣＤＭ１２とは、時間領域において長さ２のＯＣＣによって区分され、ＣＤＭ１、ＣＤＭ３、ＣＤＭ５、ＣＤＭ７、ＣＤＭ９及びＣＤＭ１１は、周波数領域において６つのＣＳ又は長さ６のＯＣＣによって区分され、ＣＤＭ２、ＣＤＭ４、ＣＤＭ６、ＣＤＭ８、ＣＤＭ１０及びＣＤＭ１２は、周波数領域において６つのＣＳ又は長さ６のＯＣＣによって区分される。さらに、基地局は、ＵＥに、周波数領域において６つのＣＳ（又は、長さ６のＯＣＣ）を使用するか、又は４つのＣＳ（又は、長さ４のＯＣＣ）を使用するかを指示することができる。ＳＵ  ＭＩＭＯ送信の場合、６つのＣＳ（又は、長さ６のＯＣＣ）を使用することが、かえって性能が劣化する場合があり、４つのＣＳ（又は、長さ４のＯＣＣ）を使用することが好ましい。但し、この場合には、ＣＤＭ９乃至ＣＤＭ１２は使用しない。ＭＵ  ＭＩＭＯの送信の場合、総ランクを増やすために、６つのＣＳ（又は、長さ６のＯＣＣ）を使用することが好ましいため、基地局がＳＵ  ＭＩＭＯ送信であるか又はＭＵ  ＭＩＭＯ送信であるかによって当該値を指示する。
【０１５１】
また、他の例として、ＣＤＭ１乃至ＣＤＭ１２は、周波数及び時間領域において定義されることができ、２つのシンボルのそれぞれにおいて、同一のコームにおける周波数軸上で隣接する６つのＲＥからなる合計１２個のＲＥごとに、ＣＳ又は長さ１２のＯＣＣによって区分（互いに識別）される（identified from one another）。さらに、この場合、基地局は、ＵＥに、２つのシンボルのそれぞれにおいて、同一のコームにおける周波数軸上で隣接する６つのＲＥからなる合計１２個のＲＥごとに、ＣＳ又は長さ１２のＯＣＣを使用するか、又は２つのシンボルのそれぞれにおいて、同一のコームにおける周波数軸上で隣接する４つのＲＥからなる合計８つのＲＥごとに、ＣＳ又は長さ８のＯＣＣを使用するか、を指示することができる。但し、この場合、ＣＤＭ９乃至ＣＤＭ１２は使用しない。ＳＵ  ＭＩＭＯ送信の場合、前者を使用しすることが、かえって性能が劣化することになり、後者を使用することが好ましく、ＭＵ  ＭＩＭＯ送信の場合、総ランクを増やすために、前者を使用することが好ましい。よって、基地局は、基地局がＳＵ  ＭＩＭＯ送信であるか又はＭＵ  ＭＩＭＯ送信であるかによって、当該値を指示する。同様に、ＣＤＭ１乃至ＣＤＭ１２が周波数領域でのみ定義されるときにもＯＣＣ長が指示されてもよい。
【０１５２】
最大ランク１２でＭＵ  ＭＩＭＯができるようにするために、低いインデックスのポート、すなわち、ポート１乃至ポート４には、追加のＣＤＭを選択することが好ましい。このようなＣＤＭの選択は、基本的には、ＤＭ−ＲＳ情報が伝達されるＤＣＩフィールドにポート情報と共にジョイントエンコーディングされて伝達されることができる。しかしながら、ＤＣＩオーバーヘッドが増えることを防止するために、ポート１乃至ポート４がいずれのＣＤＭを使用するかをＵＥ固有にＲＲＣ／ＭＡＣなどの上位層シグナリングによって指示することができる。但し、ＣＤＭ情報が動的に変更されないため、ＭＵ  ＭＩＭＯスケジューリングは制限され得る。
【０１５３】
表９では、各ランク別にＵＥに指示可能なポート値を示す。ポート１からポート８までがＵＥに指示されることができ、ポート１乃至ポート４にＣＤＭ情報をさらに指示して、各ＵＥが最大直交ＭＵ  ＭＩＭＯランクを増加させるために使用する。基地局がランク１２ＭＵ  ＭＩＭＯを行わず、最大ランク８ＭＵ  ＭＩＭＯのみを考慮する場合、ＣＤＭ５又は６を使用する場合を除いて、よりコンパクト（compact）なＤＣＩによってＤＭ−ＲＳ情報をＵＥに知らせる。最大８ＭＵを考慮したＤＭ−ＲＳテーブルに基づいたコンパクトなＤＭ−ＲＳ情報を指示するか、又は最大１２ＭＵを考慮したＤＭ−ＲＳテーブルに基づいた一般のＤＭ−ＲＳ情報を指示するかは、基地局がＵＥにＲＲＣ信号で知らせ、これによってＤＣＩペイロードが変更される。
【０１５４】
＜第８の実施例＞
【０１５５】
上記では、ＤＣＩによって、ランク、ポート、ＣＤＭ情報などのＤＭ−ＲＳ情報がシグナリングされるとき、最大８ポートまで指示できることを仮定したが、最大ポートを８より小さい値に設定して、ＤＭ−ＲＳ情報のペイロードを減らすことができる。例えば、最大幾つのレイヤまでＭＩＭＯの送／受信ができるかに関する情報であるＵＥのＭＩＭＯ性能（capability）によって、ペイロードサイズを減少させることができる。すなわち、最大Ｎレイヤ（例えば、Ｎ＝４）のＭＩＭＯをサポートする場合、Ｎポートまでの情報のみで構成されたコンパクトＤＭ−ＲＳ情報をＤＣＩで指示する。また、ＵＥの受信アンテナ数がＮ個である場合、Ｎポートまでの情報のみで構成されたコンパクトＤＭ−ＲＳ情報をＤＣＩで指示する。また、基地局がＵＥにＮ値をＲＲＣで指示して、これに合うコンパクトＤＭ−ＲＳ情報をＤＣＩで指示する。また、ＵＥのＭＩＭＯ性能及び受信アンテナ数の最小値がＮである場合、Ｎポートまでの情報のみで構成されたコンパクトＤＭ−ＲＳ情報をＤＣＩで指示する。
【０１５６】
また、基地局は、ＵＥに、スロット前端割り当てＤＭ−ＲＳシンボルを１つのみ使用するか、又は２つのシンボルを用いて、１番目のシンボルのＤＭ−ＲＳを２番目のシンボルのＤＭ−ＲＳにＴ−ＣＤＭ（time domain CDM）を適用して送信するかを指示する。当該情報は、ＤＣＩフィールドにおけるＤＭ−ＲＳ情報にジョイントエンコーディングされて指示されることができ、ランクＮ（例えば、Ｎ＝４又は６）以下でのみ当該情報が指示され、ランクＮ以上では、常に２つのシンボルにＴ−ＣＤＭを使用する、と仮定することができる。
【０１５７】
ランクＮ以下では、ＳＵ  ＭＩＭＯ送信の場合、２つのＤＭ−ＲＳシンボルとすることが、かえって性能が劣化する可能性があり、繰り返さないことが好ましい。これは、２つのシンボルを用いることによって、ＤＭ−ＲＳオーバーヘッドが過度に増加して、２つのシンボルにわたってＤＭ−ＲＳを受信する必要があるため、デコーディングレイテンシが増加するからである。一方、ＭＵ  ＭＩＭＯ送信の場合、総ランクを増やすために、２つのＤＭＲ（ＤＭ−ＲＳ）シンボルによってＴ−ＣＤＭを用いることが好ましいため、基地局がＳＵ  ＭＩＭＯ送信であるか又はＭＵ  ＭＩＭＯ送信であるかによって、繰り返すか否かをｏｎ／ｏｆｆする。一方、ランクＮ以上では、ＳＵ  ＭＩＭＯ送信であっても、２つのシンボルに対してＴ−ＣＤＭを活用してＤＭ−ＲＳオーバーヘッドを増やすことが性能において利得があるため、常に繰り返すことを仮定する。
【０１５８】
上述した方式によって、ランクＮ以下において、ＤＣＩフィールドにおけるＤＭ−ＲＳ情報にスロット前端割り当てＤＭ−ＲＳシンボルの数がジョイントエンコーディングされて伝達され、２つのＤＭ−ＲＳシンボルにＤＭ−ＲＳが送信される場合、時間軸上でＯＣＣ［１  １］によって繰り返し／拡散されるか、ＯＣＣ［１  −１］によって繰り返し／拡散されることができる。ランクＮを超える場合には、常に２つのＤＭ−ＲＳシンボルが使用される。
【０１５９】
ランクＮ以下において、１つ又は２つのスロット前端割り当てＤＭ−ＲＳシンボルが設定される場合、当該シンボル数に応じて、ＵＥは、以下のようにＭＵ  ＭＩＭＯについて仮定する。
【０１６０】
−２つのシンボルが指示された場合、ＵＥは、自体のＤＭ−ＲＳポートを除いたその他のポート（すなわち、その他の全てのポート又はその他の全てのポートのうちＭＵ  ＭＩＭＯが可能な一部のポート）が他のＵＥに送信されるＰＤＳＣＨと関連しないことを仮定しない。その結果、ＭＵ−ＩＣ（Interference Cancelation）能力のあるＵＥは、Ｎレイヤ以下の送信が指示され、スロット前端割り当てＤＭ−ＲＳに２つのシンボルが使用される場合、ＭＵ  ＭＩＭＯ送信の可能性があるため、他のＵＥのＤＭ−ＲＳポートをブラインド検出してＭＵ−ＩＣを行う。
【０１６１】
−ミニスロットの場合、１つのシンボル又は２つのシンボルで１つのスロットが構成されることから、ＤＭ−ＲＳオーバーヘッドを減らすためにコームを高い値に設定することが好ましい。一般のスロットにおいて基地局がＵＥに設定可能なコームの範囲と、ミニスロットにおいて基地局がＵＥに設定可能なコームの範囲と、を異ならせて定義する。例えば、一般のスロットでは、ＲＰＦに１〜４のうちの１つの値が設定できるが、ミニスロットでは、ＲＰＦが３又は４のみに設定できると制限したり、高いＲＰＦ値、例えば、ＲＰＦ＝４に固定してもよい。
【０１６２】
現在、ＮＲ標準化において、２つのコームを用いるＤＭ−ＲＳ設定タイプ１、及び２つのバンドリングされたＲＥ単位で３つのコームを用いるＤＭ−ＲＳ設定タイプ２が存在する。スロットがＫ個以下のシンボルで構成された場合（例えば、Ｋ＝４）又はミニスロットの場合、ＤＭ−ＲＳ密度が低いＤＭ−ＲＳ設定タイプ２のみを使用するように制限し、その他の場合には、ＤＭ−ＲＳ設定タイプ１及びＤＭ−ＲＳ設定タイプ２をいずれも使用することができる。
【０１６３】
また、追加の（additional）ＤＭ−ＲＳが使用される場合、ＤＭ−ＲＳ密度の制御のために、ＲＰＦを増加させたり、ＲＰＦを常に大きい値に固定して使用する。例えば、スロット前端割り当てＤＭ−ＲＳのみが存在する場合には、ＲＰＦ＝２を使用するが、追加のＤＭ−ＲＳが設定された場合には、常にＲＰＦ＝４であるＤＭ−ＲＳパターンを使用する。この動作は、追加のＤＭ−ＲＳの有無によってＲＰＦ値が変更される特徴があるが、より詳細には、追加のＤＭ−ＲＳの数によってＲＰＦ値が変更されることが好ましい。
【０１６４】
例えば、追加のＤＭ−ＲＳが１つ設定された場合、ＲＰＦを３に設定して、追加のＤＭ−ＲＳが３つ設定された場合、ＲＰＦを４に設定して、増加したＤＭ−ＲＳシンボルによるＤＭ−ＲＳ密度補償を行う。すなわち、追加のＤＭ−ＲＳの数によってＲＰＦ値が固定されているか、追加のＤＭ−ＲＳの数によってＲＰＦ値の設定可能な範囲が異なってもよい。換言すれば、追加のＤＭ−ＲＳが１つ設定された場合、ＲＰＦを２又は３に設定し、追加のＤＭ−ＲＳが３つ設定された場合、ＲＰＦを３又は４に設定し、その設定可能な範囲が異なってもよい。設定可能な範囲が変更される。同様に、追加のＤＭ−ＲＳがＫ個以上設定された場合（例えば、Ｋ＝２）、ＤＭ−ＲＳ密度が低いＤＭ−ＲＳ設定タイプ２のみを使用するように制限して、その他の場合には、ＤＭ−ＲＳ設定タイプ１及びＤＭ−ＲＳ設定タイプ２をいずれも使用することができる。
【０１６５】
＜第９の実施例＞
【０１６６】
周波数コームと同時にＦ−ＣＤＭ及び／又はＴ−ＣＤＭを用いてＤＭ−ＲＳポート多重化を行う場合、送信ポート数（すなわち、送信レイヤ数）の増加につれて、先にコームを使うか、又はＣＤＭを使うかを決定する必要がある。先にコームを使用する場合、ポート数の増加につれてＤＭ−ＲＳ  ＲＥのオーバーヘッドが増加して、その分だけデータのＲＥ数が小さくなるデメリットがあるが、ＤＭ−ＲＳポートのパワーブースティングを用いてＤＭ−ＲＳチャネルの推定精度が高くなるメリットがある。一方、先にＣＤＭを使用する場合、ＤＭ−ＲＳ  ＲＥのオーバーヘッドの増加を最小にして、データＲＥの数を最大に確保することができるものの、デメリットとして、ＤＭ−ＲＳパワーブースティングが使用できず、チャネル推定精度が低くなる問題がある。このような長短を考慮して、先にコームを使うか又はＣＤＭを使うかを決定する必要があり、それぞれの例について後述する。
【０１６７】
１）先にコームを使用する場合、１つのシンボルによってＤＭ−ＲＳが送信されるとき、２つのバンドリングされたＲＥ単位でＲＰＦが２、すなわち２つのコームを用いて、２つのバンドリングされたＲＥにＦ−ＣＤＭを適用して、合計４つの直交ＤＭ−ＲＳポートを生成することができる。この場合、コームから使用してポート０乃至ポート３を定義すると、以下のようにポートが定義される。
【０１６８】
−  ポート０＝ｃｏｍｂ１＋Ｆ−ＣＤＭ１  
【０１６９】
−  ポート１＝ｃｏｍｂ２＋Ｆ−ＣＤＭ１
【０１７０】
−  ポート２＝ｃｏｍｂ１＋Ｆ−ＣＤＭ２
【０１７１】
−  ポート３＝ｃｏｍｂ２＋Ｆ−ＣＤＭ２
【０１７２】
２）先にＣＤＭを使用する場合、ポート０乃至ポート３を定義すると、以下のように定義される。
【０１７３】
−  ポート０＝ｃｏｍｂ１＋Ｆ−ＣＤＭ１
【０１７４】
−  ポート１＝ｃｏｍｂ１＋Ｆ−ＣＤＭ２
【０１７５】
−  ポート２＝ｃｏｍｂ２＋Ｆ−ＣＤＭ１
【０１７６】
−  ポート３＝ｃｏｍｂ２＋Ｆ−ＣＤＭ２
【０１７７】
スロット前端割り当てＤＭ−ＲＳシンボル数が２である場合、Ｆ−ＣＤＭ／Ｔ−ＣＤＭ／ｃｏｍｂの３つを用いて多重化される。ポートインデックスを増加させて、ポート及びＲＥパターンを定義するとき、コームを最後に適用して、Ｆ−ＣＤＭ、Ｔ−ＣＤＭ、コームの順に多重化方式を用いる。また、一般に、隣接する２つのシンボル間にはチャネルがあまり変化しないことから、Ｔ−ＣＤＭ、Ｆ−ＣＤＭ、コームの順に多重化方式を用いる。
【０１７８】
２つのスロット前端割り当てシンボルを用いて、ＤＭ−ＲＳポートが定義される場合、ｃｏｍｂ／Ｆ−ＣＤＭ／Ｔ−ＣＤＭを共に用いてポートを多重化する。このとき、Ｔ−ＣＤＭは、（１，１）、（１，−１）の２つのＯＣＣを使用する。このとき、送信ポート数（すなわち、送信レイヤ数）の増加につれて、ｃｏｍｂ／Ｆ−ＣＤＭ／Ｔ−ＣＤＭのうちのＴ−ＣＤＭを最後に使用することが好ましい。例えば、１２ポートを設計するとき、ポート０乃至ポート５は、ｃｏｍｂ／Ｆ−ＣＤＭを用いて定義し、Ｔ−ＣＤＭは、（１，１）に固定する。ｃｏｍｂ／Ｆ−ＣＤＭを全て用いたため、残りのポート６乃至ポート１１は、ｃｏｍｂ／Ｆ−ＣＤＭを用いて定義するものの、他の時間領域におけるＯＣＣは、（１，−１）に固定する。
【０１７９】
このように設計することで、６ＧＨｚ以上の搬送波周波数の通信システムと、６ＧＨｚ未満の搬送波周波数の通信システムと、のＤＭ−ＲＳポートは、同一のパターンを有することになるが、その詳細は後述する。６ＧＨｚ以上の搬送波周波数では、位相ノイズ（phase noise）の影響のため、Ｔ−ＣＤＭによる直交化が難しい。よって、２つのシンボルに常に同一のＤＭ−ＲＳが繰り返し送信されることが好ましいが、これはＴ−ＣＤＭ（１，１）と同様である。この提案に従って、ポート０〜５がいずれもＴ−ＣＤＭ（１，１）を使用しているため、６ＧＨｚ以上の搬送波周波数であるか６ＧＨｚ未満の搬送波周波数であるかとは関係なく、ポート０乃至ポート５は、同一のＤＭ−ＲＳパターンで定義される。その結果、Ｎレイヤ（例えば、Ｎは６以下）に対するＤＭ−ＲＳポートの指示は、Ｔ−ＣＤＭを使用するか、又は繰り返しパターンを使用するか、とは関係なく、同一のＤＭ−ＲＳテーブルを用いて指示される。
【０１８０】
Ｔ−ＣＤＭを最後に使用しない場合には、ポート０乃至ポート５のうちの一部がＴ−ＣＤＭ（１，１）を使用することになり、繰り返しパターンが適用されたＤＭ−ＲＳポート０乃至ポート５と、Ｔ−ＣＤＭ（１，１）、（１，−１）を用いるＤＭ−ＲＳポート０乃至ポート５と、は互いに異なるパターンを有する。その結果、Ｎレイヤ（例えば、Ｎは６以下）に対するＤＭ−ＲＳポート指示は、Ｔ−ＣＤＭを用いる場合と繰り返しパターンを用いる場合とで互いに異なるＤＭ−ＲＳテーブルを用いて指示する必要がある。
【０１８１】
高速ＵＥには、スロット前端割り当てＤＭ−ＲＳと共に追加のＤＭ−ＲＳが設定され、低速ＵＥには、スロット前端割り当てＤＭ−ＲＳのみが設定される状況において、高速ＵＥと低速ＵＥとをＭＵ  ＭＩＭＯ送信したり、ＭＵ  ＭＩＭＯ送信されるＵＥの追加のＤＭ−ＲＳシンボル数が異なる場合、一部のシンボルでは特定のＵＥのＤＭ−ＲＳ電力がブースティングされ、一部のシンボルではＤＭ−ＲＳ電力がブースティングされない可能性がある。例えば、ＲＰＦが２の場合、高速ＵＥには、シンボル２にコーム１でスロット前端割り当てＤＭ−ＲＳとシンボル９にコーム１で追加のＤＭ−ＲＳとが設定され、低速ＵＥには、シンボル２にコーム２でスロット前端割り当てＤＭ−ＲＳが設定されている可能性がある。このとき、シンボル２において、各ＵＥのＤＭ−ＲＳ電力は、２倍にブースティングされる。しかしながら、シンボル９では低速ＵＥのコーム２のＤＭ−ＲＳが送信されないため、高速ＵＥの追加のＤＭ−ＲＳはブースティングできない。すなわち、低速ＵＥのコーム２のＤＭ−ＲＳの代わりに、コーム２のＲＥに高速ＵＥのデータが送信される。その結果、ＤＭ−ＲＳが設定されているシンボル単位でパワーブースティングが可能か否かを決定しなければならず、さらにパワーブースティング値を異ならせて定義する必要もある。よって、高速ＵＥは、ポートｘが複数のＤＭ−ＲＳシンボルに送信されても、ＤＭ−ＲＳシンボル別にポートｘのパワーブースティングが可能か否か及びブースティング値を異ならせて算出する。
【０１８２】
要するに、本発明のパワーブースティングに関する提案、すなわち、ＲＰＦがＮであり、Ｋ個のコームにデータ又は他のＲＳが送信された場合、ＵＥは、各ＤＭ−ＲＳポートがＮ−Ｋ倍だけパワーブースティングされたと仮定して、データをデコードするという提案は、ＤＭ−ＲＳが設定されているシンボルごとにそれぞれ適用する必要がある。
【０１８３】
シンボル単位のＤＭ−ＲＳパワーブースティングの具現が複雑な場合、基地局は、それぞれのスケジューリングされたＵＥに、ＤＭ−ＲＳシンボルでデータが送信されるコーム（すなわち、ＲＥ）が同一になるようにレートマッチングを設定してもよい。このため、ＵＥは、基地局が各ＤＭ−ＲＳシンボルでデータが送信されるコーム（すなわち、ＲＥ）が異なるようにレートマッチングすることを期待しない。或いは、単に基地局がそれぞれのスケジューリングされたＵＥに、そのＵＥのＤＭ−ＲＳシンボルで他のＲＳ（例えば、ＳＲＳ、ＣＳＩ−ＲＳ）が多重化されないように制限してもよい。
【０１８４】
ＤＭ−ＲＳシンボルにおいてデータレートマッチングを行うために、何番目のコームに対してデータがマッピングされないようにすべきかを通知しないで、何個のコームに対してデータがマッピングされないようにすべきかを通知してもよい。例えば、ＤＭ−ＲＳ設定タイプ２では、３つのコームが存在するが、自体のＤＭ−ＲＳが存在するコームが少なくとも１つ設定されるため、その他の１つ又は２つのコームに対してデータレートマッチングを行えばよい。この場合、基地局は、ＵＥに、データがマッピングされないコーム数を知らせる。例えば、コーム０〜コーム２があるとき、自体のＤＭ−ＲＳがコーム０に存在し、レートマッチングのためのコーム数が１と設定された場合、レートマッチングを行うべきコームがコーム１であるかコーム２であるかが曖昧である。これを解決するために、その他のコームのうちコームインデックスが小さいコームに対してデータをマッピングせず、コームインデックスが大きいコームにデータをマッピングする。
【０１８５】
レートマッチングのために、上位層シグナリングによって、ＤＭ−ＲＳ設定タイプ、ＤＭ−ＲＳシンボル位置及び数、コーム数又はコームインデックスを組み合わせて複数のデータＲＥマッピング候補をシグナリングし、実際にいずれのデータＲＥマッピングを行うかは、ＤＣＩによって上述した候補のうちの１つで指示する方式を用いる。
【０１８６】
ＭＵ−ＭＩＭＯでデータ送信が行われる場合、基地局は、各ＵＥに、ＭＵ−ＭＩＭＯされる他のＵＥのＤＭ−ＲＳポート情報をＤＣＩ／ＲＲＣなどによって知らせることができる。
【０１８７】
例えば、ＤＭ−ＲＳ設定タイプ１において、２つのＣＤＭグループが定義されるため、ＵＥ１及びＵＥ２をそれぞれポート０及びポート１によってＭＵ  ＭＩＭＯする場合、ＵＥ１には、ポート１にＭＵ  ＵＥがあることを知らせ、ＵＥ２には、ポート０にＭＵ  ＵＥがあることを知らせる。さらに、基地局は、ＵＥに、所望の（desired）ＤＭ−ＲＳポート（すなわち、自体のデータが送信されるチャネルのＤＭ−ＲＳポート）及びＭＵ  ＤＭ−ＲＳポート（他のＵＥのＤＭ−ＲＳポート）が指示されない他のＣＤＭグループに対して、データがレートマッチングされるか否かに関する情報を、ＤＣＩ又はＲＲＣ／ＭＡＣなどのシグナリングで知らせることができる。当該情報は、ＤＣＩ内のＴＣＩフィールド（すなわち、ＱＣＬ関連情報が指示されるフィールド）によって知らせるか、又はＤＣＩ内に定義されたＤＭ−ＲＳテーブルにジョイントエンコーディングされて伝達されることができる。また、ＤＣＩ内の独立（単独）フィールド（independent field）で定義されてもよい。例えば、ＵＥ１及びＵＥ２は、ＣＤＭグループ１においてＭＵ  ＭＩＭＯ送信を行い、当該ＣＤＭグループに、ＣＤＭグループ２に関するデータの有無（すなわち、レートマッチングが可能か否か）を知らせる（例えば、ＣＤＭグループ１にＵＥ１及びＵＥ２がＭＵ  ＭＩＭＯ送信され、ＣＤＭグループ２に対して当該ＣＤＭグループにデータの有無（すなわち、レートマッチングの可否）を知らせる）（the UE 1 and the UE 2 perform MU MIMO transmission in CDM group 1 and notify the corresponding CDM group of the presence of data (that is, rate matching) with respect to the CDM group 2）。ＤＭ−ＲＳ設定タイプ２では、３つのＣＤＭグループが存在するため、この場合にも、ＤＣＩによって、所望の（desired）ＤＭ−ＲＳポート及びＭＵ  ＤＭ−ＲＳポート（他のＵＥのＤＭ−ＲＳポート）が指示されない他のＣＤＭグループに対してデータがレートマッチングされるか否かを、基地局がＵＥに知らせる。
【０１８８】
当該情報は、ＤＭ−ＲＳ設定タイプ１では、１ビットサイズのフィールドで表現され、ＤＭ−ＲＳ設定タイプ２の場合、所望のＤＭ−ＲＳポート及びＭＵ  ＤＭ−ＲＳポートが指示されない他のＣＤＭグループが最大で２つ存在し得るため、２ビットサイズのフィールドで表現される。また、ＤＭ−ＲＳ設定タイプには関係なく、１ビットサイズで表現されてもよく、ＤＭ−ＲＳ設定タイプ２の場合、所望のＤＭ−ＲＳポート及びＭＵ  ＤＭ−ＲＳポートが指示されない他の全てのＣＤＭグループに関するデータの有無を同様に知らせる。
【０１８９】
一方、ＭＵ  ＭＩＭＯとなるＵＥ間のＤＭ−ＲＳ  ＲＥとデータとの間の電力比率が異なる場合、ＭＵ  ＩＣ能力を有するＵＥは、他のＭＵ  ＵＥのＤＭ−ＲＳ  ＲＥとデータとの間の電力比率をブラインド検出するか、基地局からシグナリングされる。しかしながら、この動作は、シグナリングオーバーヘッドを増加させたりＵＥの具現を複雑にするため、ＵＥは、自体のＤＭ−ＲＳ  ＲＥとデータとの間の電力比率と、他のＭＵ  ＵＥのＤＭ−ＲＳ  ＲＥとデータとの間の電力比率と、が常に同一であると仮定し、基地局は、これを保証するために、ＭＵ  ＭＩＭＯ送信されるＵＥの他のＭＵ  ＵＥのＤＭ−ＲＳ  ＲＥとデータとの間の電力比率を常に同一に設定してＭＵ  ＭＩＭＯ送信を行う。
【０１９０】
さらに、ＤＭ−ＲＳ設定タイプ１には２つのＣＤＭグループが存在して、ＣＤＭグループ１にはポート０，１，４，５が存在する。この場合、ポート（０，１）は、Ｆ−ＣＤＭで互いに区分（識別）され（identified from each other）、ポート（４，５）は、Ｆ−ＣＤＭで互いに区分され、ポート（０，４）は、Ｔ−ＣＤＭで互いに区分され、ポート（１，５）は、Ｔ−ＣＤＭで互いに区分される。ＣＤＭグループ２は、ポート２，３，６，７が存在する。この場合、ポート（２，３）は、Ｆ−ＣＤＭで互いに区分され、ポート（６，７）は、Ｆ−ＣＤＭで互いに区分され、ポート（２，６）は、Ｔ−ＣＤＭで互いに区分され、ポート（３，７）は、Ｔ−ＣＤＭで互いに区分される。但し、上述したポートインデックスは、実際のＮＲ標準では、１０００を加算した値で表現される。
【０１９１】
基地局は、スロット前端割り当てＤＭ−ＲＳの最大シンボル数が２である場合、以下の表１０をシグナリングする。
【０１９２】
＜表１０＞
【表１０】
2019536337.tif 000012
【０１９３】
一方、ランク３のＳＵ  ＭＩＭＯ送信において、一方のＣＤＭのみを使用する場合には、隣接セルに与える干渉が副搬送波ごとに異なって、隣接セルの干渉管理が難しくなるデメリットがある。この問題を解決するために、ランク３に対するポートとして｛０，１，２｝、｛３，４，６｝を使用することが好ましい。その結果、ＳＵ  ＭＩＭＯ送信において、ランク３の場合、ＣＤＭグループ１及びＣＤＭグループ２のいずれにも隣接セルで干渉を加えることになる。この提案は、このようなデメリットを解決する。また、２つのＵＥに対してランク３のＭＵ−ＭＩＭＯ送信が行われる場合、各レイヤに与えられる干渉レイヤ数は２であって、いずれも同様である。例えば、ポート０のレイヤはポート１及びポート４から干渉が与えられる。他のＣＤＭグループのレイヤは副搬送波が異なるため、無干渉で動作する。各レイヤが与えられる干渉レイヤ数を同様に具現することで、各レイヤの平均ＳＩＮＲが類似し、この類似性は、結果として目標のＢＬＥＲ（Block Error Rate）においてより高いＭＣＳを達成するのに有利である。
【０１９４】
ランク３のために、さらに、ポート｛０，１，２｝及びポート｛３，４，５｝が追加されてもよい。その結果、［ポート｛０，１，２｝、ポート｛３，４，６｝］と［ポート｛０，１，２｝、ポート｛３，４，５｝］とが動的にスイッチされ、ＤＭ−ＲＳの構成が指示されることができる。また、ポート｛０，１，２｝、ポート｛３，４，５｝の代わりに、ランク３のために、ポート｛０，１，４｝及びポート｛２，３，６｝が追加されてもよい。この場合、［ポート｛０，１，４｝、ポート｛２，３，６｝］と［ポート｛０，１，２｝、ポート｛３，４，５｝］とが動的にスイッチされ、ＤＭ−ＲＳの構成が指示されることができる。
【０１９５】
図９は、本発明の実施例による下りリンク信号の受信方法を例示するフローチャートである。特に、図９では、スロット前端割り当て参照信号が受信されるシンボルのリソースエレメントは、２つの多重化グループ又は３つの多重化グループに区分される（identified by two multiplexing groups or three multiplexing groups）と仮定する。
【０１９６】
図９を参照すると、ステップ９０１において、端末は、基地局から下りリンク制御チャネルを受信する。特に、下りリンク制御チャネルは、多重化グループのうちスロット前端割り当て参照信号が割り当てられた多重化グループに関する情報及び多重化グループのうちデータが割り当てられない多重化グループの数に関する情報を含む。また、スロット前端割り当て参照信号のためのシンボルの数に関する情報をさらに含んでもよい。
【０１９７】
また、スロット前端割り当て参照信号のためのシンボルの数が２つ以上である場合、スロット前端割り当て参照信号が割り当てられた多重化グループに関する情報、及び多重化グループのうちデータが割り当てられない多重化グループの数に関する情報は、２つ以上のシンボルに共通して適用されることが好ましい。
【０１９８】
次に、ステップ９０３において、端末は、下りリンク制御チャネルに含まれた制御情報を用いて、下りリンクデータチャネル及び下りリンクデータチャネルの復調のためのスロット前端割り当て参照信号を受信する。より具体的には、端末は、下りリンク制御チャネルに含まれた情報を用いてデータをレートマッチングする。多重化グループが３つであり、データが割り当てられない多重化グループの数が１つである場合、データが割り当てられない多重化グループは、低いインデックスの多重化グループであることが好ましい。
【０１９９】
さらに、スロット前端割り当て参照信号が特定の倍数だけパワーブースティングされたという仮定下において、下りリンクデータチャネルを受信して、この特定の倍数は、上述のように多重化グループの数とデータが割り当てられない多重化グループの数との差分で定義されることができる。
【０２００】
図１０は、本発明の一実施例による通信装置のブロック構成図を例示する。
【０２０１】
図１０を参照すると、通信装置１０００は、プロセッサ１０１０、メモリ１０２０、ＲＦモジュール１０３０、ディスプレイモジュール１０４０及びユーザインターフェースモジュール１０５０を含む。
【０２０２】
通信装置１０００は、説明の便宜のために例示されたもので、一部のモジュールは省略されてもよい。また、通信装置１０００は、必要なモジュールをさらに備えてもよい。また、通信装置１０００において、一部のモジュールは、より細分化したモジュールにしてもよい。プロセッサ１０１０は、図面を参照して例示した本発明の実施例による動作を実行するように構成される。具体的には、プロセッサ１０１０の詳細な動作は、図１乃至図９に記載された内容を参照すればよい。
【０２０３】
メモリ１０２０は、プロセッサ１０１０に接続し、オペレーティングシステム、アプリケーション、プログラムコード、データなどを記憶する。ＲＦモジュール１０３０は、プロセッサ１０１０に接続し、ベースバンド（基底帯域）（baseband）信号を無線信号に変換したり、無線信号をベースバンド信号に変換する機能を行う。そのために、ＲＦモジュール１０３０は、アナログ変換、増幅、フィルタリング及び周波数アップコンバート、又はこれらの逆過程を行う。ディスプレイモジュール１０４０は、プロセッサ１０１０に接続し、様々な情報を表示（ディスプレイ）する（display）。ディスプレイモジュール１０４０は、これに制限されるものではないが、ＬＣＤ（Liquid Crystal Display）、ＬＥＤ（Light Emitting Diode）、ＯＬＥＤ（Organic Light Emitting Diode）などの周知の要素を使用できる。ユーザインターフェースモジュール１０５０は、プロセッサ１０１０に接続し、キーパッド、タッチスクリーンなどの周知のユーザインターフェースの組み合わせで構成可能である。
【０２０４】
以上に説明した実施例は、本発明の構成要素及び特徴が所定形態に結合されたものである。それぞれの構成要素又は特徴は、特に明示的に言及しない限り、選択的なものとして考慮しなければならない。それぞれの構成要素又は特徴は、他の構成要素や特徴と組み合わせられない形態で実施することができる。また、一部の構成要素及び／又は特徴を組み合わせて本発明の実施例を構成することも可能である。本発明の実施例で説明する動作の順序は、変更可能である。ある実施例の一部の構成や特徴は、他の実施例に含まれることができ、或いは他の実施例の対応する構成又は特徴に置き換えられることができる。特許請求の範囲で明示的な引用関係がない請求項を組み合わせて実施例を構成するか、或いは出願後補正によって新たな請求項として含めることができるのはいうまでもない。
【０２０５】
この明細書にて説明した基地局により行われる特定の動作は、場合によってはその上位ノード（upper node）により行われることができる。即ち、基地局を含む複数のネットワークノード（network nodes）からなるネットワークにおいて端末との通信のために行われる様々な動作は、基地局又は基地局以外の他のネットワークノードにより行われることができる。基地局は、固定局（fixed station）、ＮｏｄｅＢ、ｅＮｏｄｅＢ（ｅＮＢ）、アクセスポイント（access point）などの用語に置き換えることができる。
【０２０６】
本発明に係る実施例は、多様な手段、例えば、ハードウェア、ファームウェア（firmware）、ソフトウェア又はこれらの結合などによって具現できる。ハードウェアによる具現の場合、本発明の一実施例は、１つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどによって具現される。
【０２０７】
ファームウェアやソフトウェアによる具現の場合、本発明の一実施例は、以上で説明した機能又は動作を行うモジュール、手順、関数などの形態で具現することができる。ソフトウェアコードは、メモリユニットに記憶されてプロセッサによって駆動されることができる。メモリユニットは、プロセッサの内部又は外部に位置し、既に公知の多様な手段によって、プロセッサとデータをやり取りすることができる。
【０２０８】
本発明は、本発明の特徴を逸脱しない範囲内で他の特定の形態で具体化されることができることは、当業者にとって明らかである。したがって、上記詳細な説明は、すべての面で制限的に解釈されてはならず、例示的なものとして考慮されなければならない。本発明の範囲は、添付の請求範囲の合理的解釈によって決定されなければならず、本発明の等価的範囲内でのすべての変更は、本発明の範囲に含まれる。
【図１】
2019536337.tif 000013
【図２】
2019536337.tif 000014
【図３】
2019536337.tif 000015
【図４】
2019536337.tif 000016
【図５】
2019536337.tif 000017
【図６】
2019536337.tif 000018
【図７（Ａ）】
2019536337.tif 000019
【図７（Ｂ）】
2019536337.tif 000020
【図８】
2019536337.tif 000021
【図９】
2019536337.tif 000022
【図１０】
2019536337.tif 000023
【国際調査報告】
2019536337.tif 000024
2019536337.tif 000025
2019536337.tif 000026
2019536337.tif 000027
2019536337.tif 000028
2019536337.tif 000029